(57)【要約】【課題】医療環境又は非医療環境（例えば、家、床屋もしくは保養所）で使用するための光美容装置を提供する。【解決手段】光美容装置は、種々の組織処理に使用可能である。放射は、光学系を介して組織へと送られ、光学系は、放射をパターン化し、特定の深さへと放出するように構成される。該装置は、種々の冷却システムを有し、これは、処理される皮膚及び放射源を冷却する相変化固体及び液体を含む。接触センサー及び運動センサーは、処理を向上させるために使用され得る。該装置は、製造及び部品の交換を容易にするため、モジュールである得る。【選択図】図１
2011212451.tif 000002
【特許請求の範囲】
【請求項１】
患者の皮膚のある領域に使用するための光美容装置であって、
患者の皮膚に近接させて使用するための処理ヘッドと、
処理ヘッド内に設けられ、かつ、前記皮膚領域へと放射を放出するように構成された、電磁放射を発生させるための少なくとも一つの源と、
前記少なくとも一つの源から熱を抜き出すために該源に熱的に連結される冷却面と、
流れる液体の相変化物質又は固体の相変化物質の少なくとも一部が冷却面と接触するや否や冷却面からの熱の吸収に応答してその相を変えるように、該流れる液体の相変化物質又は固体の相変化物質の一つを冷却面へと向ける機構とを備えた光美容装置。
【請求項２】
前記冷却面は肌理を有する請求項１の光美容装置。
【請求項３】
前記肌理は、直線状溝パターンである請求項２の光美容装置。
【請求項４】
前記肌理は、同心状溝パターンである請求項２の光美容装置。
【請求項５】
前記肌理は複数の凸部である請求項２の光美容装置。
【請求項６】
前記機構は、スプレージェットを備える請求項１の光美容装置。
【請求項７】
前記機構は、スプレージェットに連結された弁を更に備え、該弁は、冷却面へと放出される液体の量を制御する請求項６の光美容装置。
【請求項８】
前記冷却面の温度を表示する信号を作り出す熱センサーと、熱センサーから前記信号を受信し、かつ前記温度に応答して前記弁を制御する制御部とを更に備えた請求項７の光美容装置。
【請求項９】
前記相変化物質を保持する容器を更に備え、該容器は前記機構に連結される請求項１の光美容装置。
【請求項１０】
前記液体は冷却剤を含む請求項１の光美容装置。
【請求項１１】
前記冷却剤はテトラフルオロエタンを含む請求項１０の光美容装置。
【請求項１２】
前記固体は氷から成る請求項１の光美容装置。
【請求項１３】
前記固体は有機化合物から成る請求項１の光美容装置。
【請求項１４】
前記固体は、Ｇａ、Ｇａ／Ｉｎ合金、Ｇａ／Ｉｎ／Ｓｎ合金、及びＧａ／Ｉｎ／Ｓｎ／Ｚｎ合金の一つである請求項１の光美容装置。
【請求項１５】
前記冷却面は、前記源に電力を供給する熱伝導電極の面である請求項１の光美容装置。
【請求項１６】
前記冷却面は、前記源に熱的に連結される熱伝導ヒートシンクである請求項１の光美容装置。
【請求項１７】
前記少なくとも一つの源はある長さを有し、前記冷却面は、該冷却面を通る、前記相変化物質を受け入れるための少なくとも一つのチャネルを有する請求項１の光美容装置。
【請求項１８】
前記少なくとも一つの源はある長さを有し、前記冷却面は、該冷却面を通る、前記相変化物質を受け入れるための複数のチャネルを有し、かつ該複数のチャネルは前記長さに沿って整列される請求項１の光美容装置。
【請求項１９】
前記処理ヘッドに連結され、かつ、患者の皮膚へと物質を放出するように構成された第２機構を更に備えた請求項１の光美容装置。
【請求項２０】
前記皮膚領域へ放射を伝送する光学システムを更に備え、該光学システムは、患者の皮膚に接触するように構成された面を有する請求項１９の光美容装置。
【請求項２１】
前記第２機構は、前記物質を患者の皮膚へと駆り立てるため、該相変化物質の相変化によって形成される気体を使用するように構成される請求項１９の光美容装置。
【請求項２２】
前記第２機構は、前記相変化物質の一部を皮膚へと放出するように構成される請求項１９の光美容装置。
【請求項２３】
前記相変化物質は液体であり、皮膚へと放出される前記物質は、該相変化物質の相変化からもたらされた気体である請求項２２の光美容装置。
【請求項２４】
前記相変化物質は固体であり、皮膚へと放出される前記物質は、該相変化物質の相変化からもたらされた液体である請求項２２の光美容装置。
【請求項２５】
前記相変化物質は固体であり、皮膚へと放出される前記物質は、該相変化物質の相変化からもたらされた気体である請求項２２の光美容装置。
【請求項２６】
皮膚へと放出される前記物質は液体から成る請求項１９の光美容装置。
【請求項２７】
皮膚へと放出される前記液体はローションから成る請求項２６の光美容装置。
【請求項２８】
皮膚へと放出される前記物質は気体から成る請求項１９の光美容装置。
【請求項２９】
皮膚へと放出される前記気体は冷却された空気から成る請求項２８の光美容装置。
【請求項３０】
皮膚へと放出される前記物質は複数の成分から成る請求項１９の光美容装置。
【請求項３１】
前記冷却面は、前記源に電力を供給する熱伝導電極の面である請求項２１の光美容装置。
【請求項３２】
前記冷却面は、前記源に熱的に連結される熱伝導ヒートシンクの面である請求項２１の光美容装置。
【請求項３３】
前記源は、ダイオードレーザーバー、発光ダイオード及びランプのうちの一つである請求項１９の光美容装置。
【請求項３４】
前記冷却面は、該冷却面を通る少なくとも一つのチャネルを含み、
前記機構は、前記冷却面から熱を吸収するように、冷却面へと及び前記少なくとも一つのチャネル内へと前記流れる液体の相変化物質を放出する請求項１の光美容装置。
【請求項３５】
患者の皮膚のある領域に使用するための装置であって、
前記皮膚領域へと放射を放出するように構成された少なくとも一つの電磁放射発生源と、
前記少なくとも一つの源から熱を抜き出すために該源に熱的に連結される冷却面と、
冷却面に熱的に連結される固体団塊にして、冷却面から吸収された熱に応答して相を変える固体団塊とを備えた装置。
【請求項３６】
前記固体団塊は氷である請求項３５の装置。        
【請求項３７】
前記固体団塊はドライアイスである請求項３５の装置。
【請求項３８】
前記固体団塊を冷却面と接触するようにする機構を更に備える請求項３５の装置。
【請求項３９】
処理ヘッドを更に備え、前記源が処理ヘッド内に設けられる請求項３５の装置。
【請求項４０】
前記源は、ダイオードレーザーバー、発光ダイオード及びランプのうちの一つである請求項３５の装置。
【請求項４１】
前記冷却面は、前記源に電力を供給する熱伝導電極の面である請求項３５の装置。
【請求項４２】
前記冷却面は、前記源に熱的に連結される熱伝導ヒートシンクの面である請求項３５の装置。
【請求項４３】
患者の皮膚のある領域に使用するための装置であって、
前記皮膚領域へと電磁放射を放出するように構成された少なくとも一つの電磁放射発生源と、
前記少なくとも一つの源から熱を抜き出すために該源に熱的に連結される冷却面と、
冷却面に熱的に連結される固体団塊にして、該団塊の少なくとも一部が、冷却面からの熱の吸収に応答して液体になる固体団塊と、
前記液体の一部を受け入れ、かつ、患者の皮膚へと液体の前記一部を放出するように構成された排気口とを備えた装置。
【請求項４４】
前記液体と化学物質とを組み合わせると共に、該液体と化学物質の組合せを皮膚へと向けるための機構を更に備えた請求項４３の装置。
【請求項４５】
前記流れる液体の相変化物質は低沸点液体から成り、
前記冷却面は、前記低沸点液体が該冷却面のある面へと流れることを許容する、該冷却面を通るチャネルと、前記低沸点液体の蒸発を制御するため、前記チャネルに連結される弁とを有する請求項１の光美容装置。
【請求項４６】
前記冷却面の温度を表示する信号を作り出す熱センサーと、熱センサーから前記信号を受信し、かつ該信号に応答して前記弁を制御する制御部とを更に備える請求項４５の光美容装置。
【請求項４７】
前記低沸点液体の沸騰を制御するため、圧力源が前記チャネルに連結される請求項４５の光美容装置。
【請求項４８】
前記源は、レーザーダイオードバー、発光ダイオード及びランプのうちの一つである請求項４５の光美容装置。
【請求項４９】
前記少なくとも一つの源及び前記冷却面に熱的に連結されるヒートスプレッダーを更に備え、
該冷却面は、前記源に電力を供給する熱伝導電極の面である請求項１の光美容装置。
【請求項５０】
前記源は、ダイオードレーザーバー、発光ダイオード及びランプのうちの一つである請求項４９の光美容装置。
【請求項５１】
前記冷却面は、前記源に熱的に連結される熱伝導ヒートシンクの面である請求項４９の光美容装置。
【請求項５２】
前記液体が冷却面上に流れる液体を形成するように冷却面へと高圧液体を放出するように構成されたノズルを更に備える請求項１の光美容装置。
【請求項５３】
前記高圧液体は、前記ノズルと冷却面との間の距離全体に流れを形成する請求項５２の光美容装置。
【請求項５４】
前記冷却面は肌理が付けられる請求項５２の光美容装置。
【請求項５５】
前記冷却面へと前記液体の方向を変える冷却室を更に備える請求項５２の光美容装置。
【請求項５６】
前記冷却室は、側壁とカバーを含む請求項５５の光美容装置。
【発明の詳細な説明】
【技術分野】
【０００１】
本発明は、光美容（photocosmetic）装置のための冷却システムに関する。
【背景技術】
【０００２】
関連出願
この出願は、２００２年３月１２日付け予備出願第６０／３６３，７９８号に対する優先権を主張する。この出願はまた、２００２年１月１８日付け出願第１０／０５２，４７４号の一部継続出願であり、該出願第１０／０５２，４７４号は、１９９９年１２月２８日付け出願第０９／４７３，９１０号の一部継続出願であり、該出願第０９／４７３，９１０号は、１９９９年１月８日付け予備出願第６０／１１５，４４７号に対する優先権を主張し、また、１９９９年１１月９日付け予備出願第６０／１６４，４９２号からの優先権を主張し、また、１９９８年５月１３日付け出願第０９／０７８，０５５号の一部継続出願であり、該出願第０９／０７８，０５５号は、現在米国特許第６，２７３，８８４号であり、また、１９９７年５月１５日付け予備出願６０／０４６，５４２号及び１９９８年３月１２日付け予備出願６０／０７７，７２６号に対する優先権を主張する。この出願はまた、１９９９年３月１２日付け出願第０９／２６８，４３３号の一部継続出願であり、該出願第０９／２６８，４３３号は、１９９９年１月８日付け予備出願第６０／１１５，４４７号及び１９９９年１月８日付け予備出願第６０／０７７，７９４号に対する優先権を主張し、また、１９９６年１２月２日付け出願第０８／７５９，０３６号の一部継続出願であり、該出願第０８／７５９，０３６号は、現在米国特許第６，０１５，４０４号であり、また、１９９６年１２月２日付け出願０８／７５９，１３６号の一部継続出願であり、該出願０８／７５９，１３６号は現在放棄されており、また、１９９８年５月１３日付け出願０９／０７８，０５５号の一部継続出願であり、該出願０９／０７８，０５５号は、現在米国特許第６，２７３，８８４号であり、また、１９９７年５月１５日付け予備出願第６０／０４６，５４２号及び１９９８年３月１２日付け予備出願６０／０７７，７２６号に対する優先権を主張する。この出願はまた、２０００年８月９日付け出願第０９／６３４，９８１号の一部継続出願であり、該出願第０９／６３４，９８１号は、１９９８年５月１３日付け出願０９／０７８，０５５号の一部継続出願であり、該出願０９／０７８，０５５号は、現在米国特許第６，２７３，８８４号であり、また、１９９７年５月１５日付け予備出願第６０／０４６，５４２号及び１９９８年３月１２日付け予備出願６０／０７７，７２６号に対する優先権を主張する。この出願はまた、２００１年４月３０日付け出願第０９／８４７，０４３号の一部継続出願であり、該出願第０９／８４７，０４３号は、２０００年４月２８日付け予備出願第６０／２００，４３１号に対する優先権を主張する。この出願はまた、２００１年５月２３日付け予備出願第６０／２９２，８２７号に対する優先権を主張する。この出願はまた、２００２年３月１２日付け予備出願第６０／３６３，８７１号に対する優先権を主張する。これら全ての先行出願明細書は、参照により本書面中に組み込まれる。
【０００３】
関連技術
光美容処置（本書面中、光美容処理ともいう）を用いて処理可能な種々の状態が存在し、これには、光を基にした（例えば、レーザー又はランプを用いた）脱毛、種々の皮膚損傷の処理、入れ墨除去、顔面を新しくすること（再表面化）、及び、皮膚の若返りが含まれる。現在、光美容処置は、専門家仕様級の装置を用いて行われており、該装置は、患者の皮膚の表皮／真皮に位置するターゲット組織の破壊的な加熱を引き起こす。
【０００４】
現在まで、光美容処置は、皮膚科医の診療室で行われている。その理由は、一部には、処置を行うのに使用される装置の費用がかさむためであり、一部には、装置に関連する安全面の問題のためであり、また一部には、患者の皮膚上に光学的に誘発される傷に対処する必要性のためである。そのような傷は、高出力放射によってもたらされる患者の表皮に対する損傷から生じ得、また、著しい痛み及び／又は感染の危険性を招き得る。ＣＯ2レーザー顔面再表面化のようなある光美容処理は、医学的理由（例えば、術後の傷の手当ての必要性）により、皮膚科医の診療室で行われ続けるであろうが、その一方、消費者が処置を安全かつ効果的な態様で行うことができるのであれば、非医学的環境（例えば、家庭、理髪店、保養所）で行い得る多くの光美容処置が存在する。医学的環境で行われる処置でさえ、皮膚の損傷の低減は、回復時間を短縮するであろう。
【発明の概要】
【発明が解決しようとする課題】
【０００５】
医学的又は非医学的環境で使用するための光美容装置は、次の特徴から利点を得ることができる。（１）該装置は、安全であらねばならない。例えば、該装置は、目及び皮膚の損傷を避ける必要がある。（２）好ましくは、該装置は使用が簡単である。従って、オペレーターが満足できる美容効果を成し遂げることを可能にする。（３）好ましくは、該装置は、乱用酷使に耐えるのに十分頑強で堅牢である。（５）好ましくは、該装置はメンテナンスが容易である。（６）好ましくは、該装置は、大量に製造可能である。（７）好ましくは、該装置は、リーズナブルな価格で入手可能である。（８）好ましくは、該装置は、小型であり、例えば浴室に容易に保管される。現在入手可能な光美容装置は、一又は複数の上記課題に関連する制限を有している。
【課題を解決するための手段】
【０００６】
本発明の第１側面は、患者の皮膚のある領域において使用するための光美容装置であり、該装置は、患者の皮膚に近接させて使用するための処理ヘッドと、処理ヘッド内に配置され、かつ、皮膚領域へと放射を放出するように構成された少なくとも一つの電磁放射源と、前記少なくとも一つの電磁放射源に熱的に連結される冷却面と、相変化物質を冷却面へと向ける機構とを備える。随意的に、相変化物質は液体から成る。あるいは、相変化物質は固体から成る。
【０００７】
第１側面のいくつかの実施形態において、前記面は肌理を有する。該肌理は、直線状溝パターン又は同心状溝パターンであり得る。あるいは、肌理は複数の凸部である。上記機構はスプレージェットであり得る。該機構は、スプレージェットに連結された弁を更に備え得、該弁は、冷却面へと放出される液体量を制御する。熱センサーは、皮膚領域の少なくとも一部の温度を表示する信号を作り出すために使用され得る。また、制御部は、熱センサーからの信号を受信して、上記温度に応答して弁を制御するために使用され得る。
【０００８】
容器は、物質を保持するために含められ得る。いくつかの実施形態において、上記物質は冷却剤である。例えば、該冷却剤はテトラフルオロエタンから成る。上記固体は、氷もしくは有機化合物、又はＧａ／Ｉｎ合金であり得る。
【０００９】
冷却面は、源に電力を供給する熱伝導性の電極であり得る。あるいは、冷却面は、源に熱的に連結される熱伝導性のヒートシンクのある面であり得る。冷却面は、相変化物を受け入れるための該冷却面を通る少なくとも一つのチャネルを有し得る。あるいは、相変化物質を受け入れるための該冷却面を通る複数のチャネルを有する。該複数のチャネルは、源の長手（長さ）に沿って整列される。
【００１０】
本発明の第２側面は、患者の皮膚のある領域に使用するための光美容装置であって、該装置は、患者の皮膚に近接させて使用するための処理ヘッドと、皮膚領域へと処理ヘッドを通じて放射を放出するように構成された少なくとも一つの電磁放射源と、処理ヘッドに連結され、かつ、患者の皮膚へと第１物質を放出するように構成された第１機構とを備える。電磁放射源は、処理ヘッド内に配置され得る。該装置は、皮膚領域へ放射を伝送するための光学システム（光学系）を含み得る。光学システムは、患者の皮膚と接触するように構成された面を有する。該装置は、上記少なくとも一つの源及び上記面と熱的に連結される冷却面と、冷却面へと相変化物質を放出する第２機構とを更に備え得る。ここで、第１機構は、患者の皮膚へと第１物質を駆り立てるために第２物質の相変化によって形成される気体を用いるように構成される。該装置は、上記源及び面に熱的に連結される冷却面と、冷却面へと第１物質の一部を放出するように構成された第２機構とを更に備え得る。
【００１１】
第１物質は液体であり得、また、皮膚へと放出される第１物質の上記一部は、第１物質の相変化からもたらされた気体である。あるいは、第１物質は固体であり、皮膚へと放出される第１物質の上記一部は、第１物質の相変化からもたらされた液体である。更に別の形態では、第１物質は固体であり、皮膚へと放出される第１物質部分は、第１物質の相変化からもたらされた気体である。
【００１２】
第１物質は液体であり得、該液体はローションであり得る。あるいは、第１物質は気体であり得、該気体は、冷却された空気であり得る。第２物質は、複数の成分から成り得る。冷却面は、源に電力を供給する熱伝導電極のある面であり得る。冷却面は、源と熱的に連結される熱伝導ヒートシンクのある面であり得る。随意的に、上記源は、ダイオードレーザーバー、発光ダイオード及びランプのうちの一つである。
【００１３】
本発明の第３側面は、患者の皮膚のある領域に使用するための装置であって、該装置は、患者の皮膚に近接させて使用するための処理ヘッド、処理ヘッド内に配置され、かつ皮膚領域へと電磁放射を放出するように構成された少なくとも一つの電磁放射源と、少なくとも一つの電磁放射源に熱的に連結される冷却面であって、該冷却面を通る少なくとも一つのチャネルを含む冷却面と、冷却面上へと及び上記少なくとも一つのチャネル内へと物質を放出する機構とを備える。該物質は液体又は気体であり得る。
【００１４】
本発明の第４側面は、患者の皮膚のある領域に使用するための装置であって、該装置は、皮膚領域へと放射を放出するように構成された少なくとも一つの電磁放射源と、上記少なくとも一つの源に熱的に連結される冷却面と、冷却面に熱的に連結される固体団塊とを備え、固体団塊は、冷却面から吸収される熱に応答して相を変える。
【００１５】
いくつかの実施形態において、固体団塊は氷又はドライアイスであり得る。該装置は、固体団塊を冷却面と接触状態にする機構を更に備え得る。該装置は、処理ヘッドを更に備え得、その場合、源は処理ヘッド内に配置される。源は、ダイオードレーザーバー、発光ダイオード及びランプのうちの一つであり得る。
【００１６】
冷却面は、源に電力を供給する熱伝導電極又は源に熱的に連結される熱伝導ヒートシンクのある面である。
【００１７】
本発明の第５側面は、患者の皮膚のある領域に使用するための装置であり、該装置は、皮膚領域へと電磁放射を放出するように構成された少なくとも一つの電磁放射源と、上記少なくとも一つの源に熱的に連結される冷却面と、冷却面に熱的に接触される固体団塊であって、該団塊の少なくとも一部が冷却面からの熱の吸収に応答して液体になる当該固体団塊と、液体の一部を受け入れ、かつ液体の該一部を患者の皮膚へと放出するように構成された排気口とを備える。該装置は、液体と化学物質とを化合させると共に、該液体及び化合物を患者の皮膚へと向けるための機構を更に備え得る。
【００１８】
本発明の第６の側面は、患者の皮膚のある領域に使用するための装置であって、皮膚領域へと電磁放射を放出するように構成された少なくとも一つの電磁放射源と、上記少なくとも一つの源に熱的に連結される冷却面と、冷却面と熱的に連結され、かつ、少なくとも第１化合物及び第２化合物を収容する反応室とを備え、第１及び第２化合物は、反応室内に吸熱反応を与えるように選択される。
【００１９】
冷却面は、源に電力を供給する熱伝導電極のある面であり得、又は、冷却面は、源に熱的に連結される熱伝導ヒートシンクのある面であり得る。
【００２０】
本発明の第７側面は、患者の皮膚のある領域に使用するための装置であって、患者の皮膚に近接させて使用するための処理ヘッドと、処理ヘッド内に配置され、かつ、皮膚領域へと電磁放射を放出するように構成される少なくとも一つの電磁放射源と、上記少なくとも一つの電磁放射源に熱的に連結される冷却面とを備え、冷却面は、該冷却面のある面へと低沸点液体が流れることを許容する、該冷却面を通るチャネルを有する。
【００２１】
該装置は、低沸点液体の蒸発を制御するため、チャネルに連結される弁を更に備え得る。該装置はまた、皮膚領域の温度を表示する信号を作り出すための熱センサーと、熱センサーからの信号を受信し、かつ、該信号に応答して弁を制御する制御部とを更に備え得る。該装置は、低沸点液体の沸点を制御するため、チャネルに連結される圧力センサーを有し得る。源は、レーザーダイオードバー、発光ダイオード及びランプのうちの一つである。
【００２２】
本発明の第８側面は、患者の皮膚のある領域に使用するための装置であって、該装置は、患者の皮膚に近接させて使用するための処理ヘッドと、処理ヘッド内に配置され、かつ皮膚領域へと放射を放出するように構成された少なくとも一つの電磁放射源と、上記少なくとも一つの源に熱的に連結されるヒートスプレッダーと、ヒートスプレッダーに熱的に連結される冷却面とを備える。源は、ダイオードレーザーバー、発光ダイオード及びランプのうちの一つであり得る。冷却面は、源に電力を供給する熱伝導電極の面であり得、又は、源に熱的に連結される熱伝導ヒートシンクの面であり得る。
【００２３】
本発明の第９側面は、熱発生装置を冷却するための冷却システムであり、該システムは、熱発生装置に熱的に連結される冷却面と、高圧液体を放出するように構成されたノズルとを備え、液体は、冷却面上において流れる液体（a flowing liquid）を形成する。高圧液体は、該液体が、ノズルと冷却面との間の全距離で液体の流れ（a stream）を形成するように放出される。冷却面は肌理が付けられ得る。随意的に、冷却システムは、冷却面へと液体の向きを変える冷却室を更に備え得る。冷却室は、側壁とカバーを含み得る。非医療環境における光美容処理の実行に関連して多くの実施形態が記述されるが、当然のことながら、この発明の側面の利益は、医療装置並びに非医療装置に適用され、またこの発明は、いずれに対しても限定なしで適用される。
【図面の簡単な説明】
【００２４】
【図１】本発明のいくつかの側面に従う光美容装置のいくつかの基本構成要素の概略図である。
【図２Ａ】患者の皮膚のある領域における光美容処置の実行に使用するための、本発明のいくつかの側面に従う放射システムの一例の側面図である。
【図２Ｂ】図２Ａの２Ｂ−２Ｂ’線に沿う、患者の皮膚の照射領域の概略上面図である。
【図３】患者の皮膚に二つの放射領域を形成可能な放射システムの例の側面図である。
【図４】処理のアイランドを形成するのに適したシステムの一例の上面図である。
【図５】本発明の側面に従うヘッドの一実施形態の概略側断面図である。
【図６Ａ】蒸発冷却を使用する冷却システムの一実施形態の一例の側断面図である。
【図６Ｂ】冷却液体を利用する冷却システムの別の実施形態の側断面図である。
【図６Ｃ】冷却液体を利用すると共に冷却室を有する冷却システムの別の実施形態の概略図である。
【図６Ｄ】排気口が冷却液体が室に入る際に通る口とは別個である、冷却液体を利用するヘッドの実施形態の側断面図である。
【図７】チャネルを有する冷却システムの実施形態の側断面図である。
【図８】液体の蒸発冷却を利用するヘッドの別の実施形態の側断面図である。
【図９】本発明の側面に従う固体相変化物質を用いる冷却システムの実施形態の側断面図である。
【図１０】冷却のために吸熱化学反応を用いる冷却システムの実施形態の側断面図である。
【図１１】患者の皮膚を冷却するため、排気口を有する装置の実施形態の側断面図である。
【図１２Ａ】本発明のいくつかの側面に従う光美容装置での使用に適した単一部品光学システムの実施形態の一例の側面図である。
【図１２Ｂ】図１２Ａに示されるような光学システムの実施形態の一例の光線跡である。
【図１３Ａ】本発明のいくつかの側面に従う光美容装置での使用に適した二部品円柱光学システムの実施例の一例の側面図である。
【図１３Ｂ】図１３Ａに示されるような光学システムの実施形態の一例の光線跡である。
【図１４Ａ】本発明のいくつかの側面に従う光美容装置での使用に適した二部品円柱光学システムの実施形態の別の例の側面図である。
【図１４Ｂ】図１４Ａに示されるような光学システムの実施形態の一例の光線跡である。
【図１５Ａ】本発明のいくつかの側面に従う光美容装置での使用に適した二部品円柱光学システムの実施形態の別の例の側面図である。
【図１５Ｂ】図１５Ａに示されるような光学システムの実施形態の一例の光線跡である。
【図１６Ａ】光美容処置を実行するためのヘッドの模範的な実施形態の概略図である。
【図１６Ｂ】光美容処置の間、筋肉刺激を行う機能をも提供する光美容処置を実行するためのヘッドの模範的な実施形態の概略図である。
【図１７Ａ】光学素子と患者の皮膚面との接触を光学的に確認する、本発明のいくつかの側面に従う装置の一実施形態の一例の概略図である。
【図１７Ｂ】光学素子と患者の皮膚面との接触を光学的に確認する、本発明のいくつかの側面に従う装置の一実施形態の一例の概略図である。
【図１７Ｃ】光学素子と患者の皮膚面との接触を光学的に確認する、本発明のいくつかの側面に従う装置の一実施形態の一例の概略図である。
【図１８Ａ】運動センサーを有するハンドピースの一実施形態の破断側面図である。
【図１８Ｂ】運動センサーシステムの実施形態の一例の概略図である。
【図１９】光学運動センサーを有する装置の別の例の概略図である。
【図２０】本発明に従う内蔵型光美容装置のいくつかの側面を示すハンドピースの一実施形態の一例の概略図である。
【図２１】内蔵型光美容装置をドッキングするためのハンドピースの実施形態の一例の概略図である。
【図２２】着脱可能なヘッドを有するハンドピースの一実施形態の一例の概略図である。
【図２３】ユーザーによる交換に適した一又は複数の構成要素を有するモジュラーハンドピースを示す概略図である。
【図２４】ユーザーによる交換に適した一又は複数の構成要素を有するモジュラー光学組立体を示す概略図である。
【図２５】本発明のいくつかの側面を示す光美容装置の一例の概略図である。
【図２６Ａ】湾曲した皮膚領域を処理することに向けられた本発明の側面を示す光美容ヘッドの一例の概略図である。
【図２６Ｂ】湾曲面を処理するヘッドの二つの伝達システムの一実施形態の概略図である。
【図２７】本発明に従うハンドピース２７００のいくつかの側面の実施形態を示す概略図である。
【図２８】本発明の少なくともいくつかの側面に従う光美容装置の一実施形態の概略図である。
【発明を実施するための形態】
【００２５】
図１は、本発明のいくつかの側面に従う光美容装置１００のいくつかの基本的な構成要素の概略図である。領域１１０は、患者の皮膚のある領域であり、その上において、選択された光美容処理が実行される。皮膚領域１１０は、表皮層１２０と真皮層１３０との間内に基底層１４０を有する。一般に、光美容処理は、表皮層１２０又は真皮層１３０内に位置するターゲット領域を処理することを含む。例えば、脱毛の場合、毛嚢１６０の球１５０を加熱することが望ましいかもしれない。あるいは、球１５０の一部のみ、例えば、乳頭と小胞（毛嚢）との間の基底膜１５２が加熱され得る。
【００２６】
本発明のいつくかの実施形態において、装置１００の主要なサブシステムは、ハンドピース１７０と、ベースユニット１２０と、ハンドピース１７０をベースユニット１２０に連結するコード１２６とを含む。ベースユニット１２０は、出力制御電子機器回路１２２及び電磁放射（ＥＭＲ）源１２５に対する電源１２４を含み得る。電源１２４は、コード１２６を介してハンドピース１７０に連結され得る。コード１２６は、好ましくは軽量でフレキシブルである。あるいは、後述の図２１に関連して説明されるように、コード１２６は省かれ得、また、ベースユニット１２０は、ハンドピース１７０内に配置された再充電可能な電源（例えばバッテリー又はコンデンサー）のための充電ステーションとして使用され得る。いくつかの実施形態において、ベースユニット１２０は、ハンドピース１７０内に再充電可能な電源及びＡＣアダプターを組み込むことにより、完全に除去され得る。
【００２７】
ハンドピース１７０は、患者の皮膚と接触するように構成された処理ヘッド１８０（単にヘッドともいう）と、患者の皮膚にわたるどの方向へもヘッド１８０を移動させるべくオペレーターが把持し得るハンドル１９０とを含む。例えば、ヘッド１８０は、皮膚にわたって前方向１０５へと押され得、又は後方向１０６へと引かれ得る。一般に、所与のストロークの間、ヘッド１８０の移動中、ヘッド１８０と患者の皮膚１１０との間の接触は維持される。ハンドピース１７０は、患者の皮膚領域１１０にわたって機械的に駆動され得、又は手動走査され得る。良好な熱的及び光学的接触を保証するため、ヘッド１８０と皮膚１１０とのしっかりした接触が好ましい。より詳細に後述されるように、本発明のいくつかの実施形態において、ヘッド１８０及び／又は皮膚領域１１０は、該ヘッドに対する損傷を防ぎ、また皮膚損傷（例えば傷）の発生を低減するため、受動的又は能動的な冷却装置によって冷却される。
【００２８】
模範的な実施形態において、源１２５は、ハンドピース１７０内、例えばヘッド１８０内に配置される。あるいは、源１２５は、ベースユニット１２０内に配置されて、光ファイバー１２８を介してヘッド１８０に連結される。光ファイバー１２８は、患者の皮膚へと光を送り届けるため、ハンドル１９０を通って伸長し得、又は、ヘッド１８０に別の方法で連結され得る。
【００２９】
いくつかの実施形態において、制御部１２２は、ライン１３２を通じてヘッド１８０から情報、例えば、ヘッド１８０と皮膚１１０の接触に関連する情報、患者の皮膚上におけるヘッド１８０の運動の速度、及び／又は皮膚の温度を受け取る。制御部１２２は、制御信号をヘッド１８０へとライン１３２を通じて送り得る。ライン１３２は、ハンドル１９０を通ってヘッド１８０に連結されるか又は別の方法で該ヘッドに連結され得るケーブルの一部であり得る。制御部１２２は、源１２５の操作を制御するために出力を発生させもし得、また、該源から情報を受け取りもし得る。制御部１２２は、選択された出力装置１１９の制御もし得る。該出力装置としては、例えば、音声出力装置（例えばブザー）、光学出力装置、感覚出力装置（例えばバイブレーター）、又はオペレーターに対する他のフィードバック制御がある。オペレーターの好みに応じて、他の一般的に用いられる出力装置も使用され得る。いくつかの実施形態において、出力装置１１９は、ハンドピース１７０内に配置される。
【００３０】
図２Ａは、本発明のいくつかの側面に従う、患者の皮膚領域１１０における光美容処置の実行に使用するための照明システム２００の一例の側面図である。図２Ｂは、図２Ａの２Ｂ−２Ｂ’線に沿う患者の照射を受けた皮膚領域１１０の概略上面図である。本発明の模範的な実施形態において、ＥＭＲ源２０４を含むシステム２００は、ＥＭＲ源が皮膚面１１０近くに位置付けられるように、光美容装置のヘッド（例えば、図１のヘッド１８０）内に設置される。
【００３１】
実行される処理に応じて、源２０４は、単一波長、複数波長で又はある波長帯域において放射するように構成され得る。源２０４は、コヒーレント光源であり得、その例として、ルビー、アレキサンドライト、又は、他の固体レーザー、ガスレーザー、ダイオードレーザーバーもしくは他の適当なレーザー光源がある。あるいは、源２０４は、非コヒーレント光であり得、その例として、ＬＥＤ、アークランプ、フラッシュランプ、蛍光灯、ハロゲンランプ、ハライドランプ、又は他の適当なランプがある。
【００３２】
複数の光学素子から成る光学システム２０６は、面２０７を有し、該面は、ＥＭＲ源２０４からの放射を送るためのものであり、かつ、患者の皮膚１１０に接触させるためのものである。光学システム２０６の更なる詳細は、図１２〜１６に関連して後述される。句「光学システム」は、本書面中では、光美容処置の実行に適したいかなるタイプの光学的放射をも送信するためのシステムを指すために用いられる。
【００３３】
いくつかの実施形態において、源２０４は、ｘ方向に伸長した寸法を有する（例えば、該光源は、実質的に直線状である。）。当業者は、複数の点光源が、実質的な直線状源を形成するために結合され得ることを理解するであろう。その上、比較的小さい直線状源は、単一のより長い連続的直線状源、又は一もしくは複数の途切れを有するより長い直線状源を形成するために結合され得る。例えば、源２０４は、１ｃｍ長の放射ライン（emission line）及び数ミクロンの幅を有するダイオードレーザーバーであり得る。随意的に、源２０４は、２ｃｍ又は３ｃｍ長の放射ラインを作り出すため、Ｘ方向に沿う線に配置される二本又は三本のバーを含み得る。
【００３４】
あるいは、直線状源は、ライン幅が広がった源を形成するため、ｙ方向に互いに隣接して配置され得る。システム２００は、一又は複数の源２０４と同様の又は該源２０４とは異なる構成の一又は複数の追加の源２０５を含み得る。二つの源を有する実施形態において、源２０４及び源２０５は、同一の又は異なる波長範囲で照射し得る。
【００３５】
複数のＥＭＲ源２０４、２０５を有する実施形態において、ある所与の処理では、選択された源のみを作動させることが望ましいかもしれない。例えば、異なる波長を放射する（複数の）源を有する実施形態において、ある用途、例えば脱毛の場合、選択された一又は複数の源のみを作動させることが好ましいであろうし、また、他のある用途、例えば座瘡処理又は皮膚の若返りでは、選択された一又は複数の他の源を作動させることが好ましいであろう。源はある波長で放射を発するものとして述べたが、当業者は、どのような放射源でも有限の波長範囲にわたって光を作り出し、従って、指定の波長がより広い範囲の一部であり得ることを理解するであろう。
【００３６】
放射源２０４は、パルス波源又は持続波（連続波（ＣＷ））源であり得る。脱毛のような大領域範囲を要する用途では、ＣＷダイオードレーザーバーが好ましいであろう。種々の皮膚障害の処理のための、持続波（ＣＷ）光源を利用する方法は、Altshuler等の米国特許第６，２７３，８８４号Ｂ１、タイトル「Methods and Apparatus for Dermatology Treatment（皮膚科学処理のための方法及び装置）」に記載され、その内容は参照により本書面中に組み込まれる。この特許のいくつかの側面は、接触光学送出システムと組み合わせたＣＷ光源の使用を教示し、該接触光学送出システムは、目標とした生物学的組織に正確な温度上昇を引き起こすため、皮膚面にわたって手動走査されるか又は機械的に駆動される（すなわち連続的接触走査（ＣＣＳ））。
【００３７】
ほとんどの業務用のダイオードレーザーバーは、５０００時間以上の寿命を呈示するが、本発明に従う用途では、１０〜１００時間の寿命を要求するに過ぎないであろう。従って、本発明のいくつかの実施形態において、源２０４は、放射出力を高め、従って該ダイオードレーザーをより高温で動作させるために電流で過度に働かされ得、これにより寿命を犠牲にする。
【００３８】
本発明での使用に適したダイオードレーザーバーは、７９０〜９８０ｎｍの波長又は他の適当な波長で放射するダイオードレーザーを含む。本発明のいくつかの側面での使用に適したダイオードレーザーバーの源（出所）の例には、カリフォルニア州サンタクララのコヒーレント社（Coherent Inc.）、又はカリフォルニア州マウンテンヴューのSpectra Physicsが含まれる。源２０４、２０５の上記例は模範的であり、当然のことながら、本発明の側面は、現在入手可能であるか又はまだ開発されていない適当なＥＭＲ源を使用する装置類を含む。
【００３９】
本発明のいくつかの実施形態、例えば、低出力であるか又は患者の皮膚の小領域の処理である実施形態では、ＬＥＤは、光源２０４、２０５として使用され得る。ＬＥＤは、広範囲の放射波長で利用可能である。上述のダイオードレーザー源と同様に、異なる波長で放射する複数のＬＥＤが、単一の光学システムに使用可能である。ＬＥＤの典型的な寿命は、５０，０００時間の範囲である、レーザーダイオードと同様に、より大きい光出力（光学倍率）を発生させるために、ＬＥＤを過度に働かせて、寿命を犠牲にすることが可能であろう。高出力密度を要する用途では、反射集信機（例えば放物面反射体）が、皮膚面でのスポットサイズを縮小するために使用可能である。
【００４０】
広帯域源（例えば、低出力ハロゲンランプ、アークランプ及びハライドランプ）は、源２０４、２０５として使用可能な別の種類の光源である。一又は複数の光学フィルター２４０及び２４２は、ある所与の用途に所定の波長帯域を与えるために使用可能である。複数のランプは、高出力を発生させるために結合され得、また、ＬＥＤの場合と同様に、集信機が、皮膚面でのスポットサイズを縮小するために使用され得る。いくつかの実施形態において、いくつかの異なる種類の光源が、光美容装置（例えば、図１の装置１００）に組み込まれ得る。
【００４１】
システム２００のいくつかの実施形態において、ビームスプリッター２３０は、源２０４からの放射を分割し、ＥＭＲの第１部分及びＥＭＲの第２部分を形成する。該第１部分及び第２部分は、フィルター２４０及び２４２によってそれぞれフィルター処理され得る。フィルター処理後、該第１及び第２部分は、同じか又は異なる波長範囲を有し得る。第１及び第２部分の機能は、同じであるか又は異なり得る。例えば、ＥＭＲの第２部分の機能は、ＥＭＲの第１部分による処理の準備において、患者の皮膚１１０を予熱するためであり得る。あるいは、ＥＭＲの第１部分及び第２部分の両方が処理を与え得る。
【００４２】
図２Ｂを参照して、いくつかの実施形態において、光学システム２０６（図２Ａ）は、患者の皮膚１１０における第１軸線２１１に沿う放射の第１領域２１０を形成するように構成される。放射の第１領域２１０は、源２０４（図２Ａ）からの少なくとも電磁放射の第１部分から形成される。いくつかの実施形態において、第２軸線２２１に沿う放射の第２領域２２０が患者の皮膚１１０に形成される。放射の第２領域２２０は、放射源２０４からの電磁放射の第２部分から形成され得る。あるいは、放射２２０の第２領域は、第２放射源２０５（図２Ａ）からの光から形成され得る。
【００４３】
本発明のいくつかの側面において、第１軸線２１１及び第２軸線２２１は平行である。しかしながら、他の実施形態において、軸線２１１、２２１は平行ではない。システム２０６は、第２領域２２０からある選択された距離の第１領域２１０を形成するように構成され得、又は、放射の第１部分が放射の第２部分の少なくとも一部と重なり合うように構成され得る。随意的に、システム２０６は、上記第１部分及び第２部分を実質的に線として形成する（例えば焦点を合わせて又は平行にして）ように構成される。光学システム２００は、皮膚面において一又は複数の光の線を作り出すように構成され得、各線は、１〜３００ｍｍ長及び０．１〜１０ｍｍ幅を有する。ビームの非点収差は、０．０１〜０．５の範囲であり得る。用語「非点収差」は、本書面中では、ビーム長に対するビーム幅の比を意味するように定義される。また、随意的に、システム２０６は、患者の皮膚１１０における追加の軸線（図示せず）に沿う放射の一又は複数の追加の領域を形成するように構成され得る。該放射の追加領域は、放射源２０４又は２０５からの電磁放射の対応追加部分から形成されるか、又は、一又は複数の追加の放射源からの放射の対応追加部分から形成される。
【００４４】
図３は、光美容処置の実行に使用するための照明システム３００の別の例の側面図であり、これは、患者の皮膚１１０のある領域に二つの放射領域３１１、３１６を形成することができるものである。システム３００において、単一の光学システム２０６（図２）の代わりに、二つの光学システム３１０、３１５それぞれが、対応する放射領域３１１、３１６（例えば、放射領域２１０、２２０）をもたらす。該線をもたらすのに使用される放射は、二つの源３０４、３０５から、又は図２に関連して上述した単一の分割された源からであり得る。
【００４５】
図４は、処理の（複数の）アイランドの形成に適した照明システム４００の一例の上面図である。システム４００は、複数の源４１０（例えば、線又は円形スポットの照明を照射する慣用のレーザーダイオード）を含み、各源は、光を皮膚のある領域上へと向けるための対応する光学システム４１５を有する。図示のシステムは、皮膚の領域内において処置の（複数）アイランドを有する焦点スポットの正方（又は任意の形状の）行列を作り出すために使用され得る。本書面中に用いられる用語「アイランド」は、指定の処理領域であって他の指定の処理領域から分離された領域を意味するように定義され、ここでは、二つ又は三つ以上の領域間の上記他の指定の処理領域が、該指定の処理を成し遂げるために必要な量より少ない量の放射を受けるようにされる。照射のアイランドは、Andersonによる２００１年１２月２７日付け米国予備特許出願第１０／０３３，３０２号、タイトル「ＥＭＲ処理のための方法及び装置」においてより詳細に論じられている。その内容は参照により本書面中に組み込まれる。
【００４６】
高出力源を利用する本発明に従う光美容装置の実施形態では、消費者に対する傷及び他の障害を避けるため、該源からの廃熱の管理が重要である。例えば、ハンドピース内にダイオードレーザーバーを含む光美容装置の場合、電気エネルギーの６０％までが、非光学的廃熱において消散され得る。傷を避けるための熱の除去に加えて、熱の除去は、源の過熱や源の寿命の短縮を防ぐために重要である。
【００４７】
図５は、本発明の側面に従うヘッド５００の一実施形態の概略側断面図である。ヘッド５００は照明システムを含み、該システムは、ＥＭＲ源（例えばダイオードレーザーバー５１０）と光学システム５２０とを含む。ヘッド５００は、光学素子を保護すると共に光美容装置のオペレーターを保護するため、ハウジング内に設置され得る。ハウジングは、不明瞭にならないように省略される。図５において、ダイオードレーザーバー５１０は、電磁放射源（例えば、図２の源２０４）として動作し、また、一又は複数の放射領域（例えば、図２の２１０、２２０）を形成するために使用され得る。ダイオードレーザーバー５１０は、陽極５１５と陰極５１６との間に設置される。電極５１５、５１６は、ダイオードレーザーバー５１０に対し電力を供給し、また、優れた導電率を有するどのような適当な材料からでも成り得る。いくつかの実施形態において、電極５１５、５１６は、ダイオードレーザーバー５１０と熱的接触し、また、良好な熱伝導率を有して、廃熱をダイオードレーザーバー５１０から引き離す。例えば、電極５１５及び５１６は、アルミニウム又は銅から成り得る。
【００４８】
随意的に、ダイオードレーザーバー５１０からの廃熱は、電極５１５及び５１６を介してヒートシンク５３０へと移され得る。ヒートシンク５３０は、ダイオードバー５１０から廃熱を引き離すため、良好な熱伝導率を有するどのような材料からも成り得る。例えば、ヒートシンク５３０は、アルミニウム又は銅から成り得る。ヒートシンク５３０は、空気流を含む既知のどのような適当な方法によっても冷却され得る。随意的に、冷却は、ヒートシンク５３０へフィン（図示せず）を付加することにより、高められ得る。あるいは、ヒートシンク５３０は、図６〜１１に関連して後述される一又は複数の熱除去方法によって冷却され得る。また、随意的に、ヒートスプレッダー５２２が、電極５１５、５１６とヒートシンク５３０との間に設けられ得る。ヒートスプレッダー５２２は、電極５１５、５１６及びヒートシンク５３０に熱的に連結される。ヒートスプレッダー５２２は、良好な熱伝導率を有するどのような適当な材料からも成り得る。好ましくは、ヒートスプレッダー５２２は電気的絶縁性である。ダイヤモンド及び炭素繊維が、ヒートスプレッダーとしての使用に適した二つの材料例である。
【００４９】
いくつかの実施形態において、電極５１５、５１６は、廃熱をダイオードレーザーバー５１０から引き離すヒートシンクであるように構成される。従って、ヒートシンク５３０及びヒートスプレッダー５２２は省かれ得る。そのような実施形態において、電極５１５及び５１６は、良好な熱伝導率及び導電率を示すいかなる材料からも成り得る。随意的に、一又は複数の熱センサー５２４（例えば、熱電対、サーミスター）は、後述される冷却システムに使用するため、患者の皮膚が示す温度（例えば、光学システム５２０と電極５１６との境界面における温度）を監視するために使用され得る。
【００５０】
ダイオードレーザーバー５１０は、バー５１０と電極５１５及び５１６との間の良好な電気的接触を維持することができるどのような方法によっても電極５１５、５１６に固定され得る。廃熱の移送が望まれる実施形態において、良好な熱的及び電気的接触を実現するどのような適当な方法をも使用され得る。一実施形態において、ダイオードレーザーバー５１０は、二つの電極５１５及び５１６間に留められる。スプリング又は他の適当な機構が、電極５１５、５１６間にダイオードレーザーバー５１０をしっかりと留めるために使用され得る。別の実施形態において、ダイオードレーザーバー５１０は、熱伝導性／電導性エポキシ樹脂によって所定位置に留められる。別の実施形態において、ダイオードレーザーバー５１０は、低温はんだ（Ｉｎ又はＡｕ／Ｓｎはんだ等）で所定位置にはんだ付けされる。自動式はんだ付けは、ダイオードレーザーバー５１０と電極５１５及び５１６との間に置かれたインジウム予成形品を用い、かつ、ダイボンダを用いて熱を加えて、はんだ及びダイオードバーを加熱、圧縮、及び次いで冷却するようにして実現され得る。随意的に、ＢｅＯのような高熱電導率及び低導電率の材料から成るスペーサー５２５が、電極５１５及び５１６間に電気的絶縁を与えるために含まれ得る。
【００５１】
本発明のいくつかの側面によれば、光学システム５２０は、ダイオードレーザーバー５１０からの光を患者の皮膚へとつなげる。光学システム５２０は、空隙５１１だけダイオードレーザーバー５１０から分離され得る。模範的な光学システム５２０は、図１２〜１５に関連してより詳しく後述される。本発明のいくつかの側面に従う実施形態において、光学システム５２０は、患者の皮膚のある領域と接触するように構成され、光学面５２１は、患者の皮膚に冷却を与えるため、冷却される。
【００５２】
いくつかの実施形態において、ダイオードレーザーバー５１０及び光学システム５２０の冷却は、単一の冷却システムを用いて達成される。例えば、電極５１５、５１６は、寸法Ａに沿って光学システム５２０に熱的に連結され得る。従って、ダイオードレーザーバー５１０及び光学システム５２０の両方は、電極５１５、５１６を直接又は、電極５１５、５１６に熱的に連結されるヒートシンク５３０の冷却を介して冷却することによって冷却され得る。寸法Ａは、一般的に、おおよそ１ｍｍ〜１０ｍｍの間である。光学源と光学システムの同時の冷却に関する更なる詳細は、１９９９年１２月２８日付けの米国出願第０９／４７３，９１０号において与えられる。その内容は参照により、本書面中に組み込まれる。
【００５３】
皮膚の接触冷却は、例えばメラニンが顕著な吸収を示す波長での皮膚に対する高流束量放射の送出の間、患者の表皮を保護するために用いられ得る。ヘッド５００のいくつかの実施形態において、光学システム５２０は、患者の皮膚と接触するように構成されたサファイア素子を、これが良好な光透過率及び熱伝導率を有するため、含み得る。上述したように、光学システム５２０は、処理中に、サファイア素子から熱を除去するために冷却され得る。随意的に、光美容装置での処理の前に、作用している波長で透過性のあるローションが皮膚に塗られ得る。好ましくは、ローションは、光学面５２１を通る皮膚からの熱の除去を高めるため、熱伝導性を有する。好ましくは、ローションはまた、皮膚にわたる光学システム５２０の滑り運動を助長し、また、皮膚への放射の効果的な光学的結びつきを与えるため、接触面５２０と皮膚１１０との間の屈折率の整合を有する。
【００５４】
ローションはまた、ＥＭＲ源（例えばレーザーダイオード５１０）による照射に応答して変質される光学的特性（例えば、色又は反射率）を有するローションを選択することにより、どの皮膚領域が処理されていたのかを示すために使用され得る。例えば、ローションが最初、ある所定の色である場合、照射後、それは透明（又は異なる色）になるであろう。処理領域を非処理領域と区別する機能は、広い表面領域にわたって行われる脱毛のような処理には特に重要である。
【００５５】
図５はまた、ダイオードバー５１０及び光学システム５２０をヒートシンク５３０を介して冷却するためのシステムの一実施形態を示す。図５において、熱吸収性液体は、ヒートシンク５３０から熱的に連結される熱伝導性導管５４０を通って流れる。例えば、一実施形態において、該液体として水が使用される。随意的に、水は、水道水のような冷水の源を取り付けることによって供給され得る。図１を参照して、水は、適当な配管を有するハンドル１９０を通じて供給され得る。あるいは、閉回路冷却ループが、該液体から熱を除去する熱交換器（図示せず）を有する。該熱交換器は、ハンドル１９０又はベースユニット１２０に設置され得る。
【００５６】
再び図５を参照して、導管５４０は、ヒートシンク５３０の一又は複数の面の少なくとも一部、例えば面５４２を覆う。単一の平面導管は、ヒートシンク５３０の一又は複数の面の全体を覆い得る。あるいは、ヒートシンク５３０の面の一部をそれぞれが覆う複数の導管が使用され得る。あるいは、一又は複数の導管５４０は、電極５１５、５１６の少なくとも一部を覆い得る。冷却は、ヒートシンク５３０又は直接電極５１５、５１６に対し適用されるので、ヒートシンク（例えば面５４２）の面、電極の面、又は、熱が除去される他の適当な面は、以下において「冷却面」と称される。冷却面は外側面として示されるが、当然のことながら冷却面は、ヒートシンク又は電極を通じて導管に露出する面のような内側面であり得る。
【００５７】
図６Ａは、蒸発（気化）冷却を用いる冷却システム６００の一実施形態の側断面図である。図６において、相変化液は、一又は複数のスプレージェット６１０及び６２０から冷却面６２３上へとスプレーされる。該液は、冷却面から吸収される熱に応答して蒸発する液体のような、どのような適当な蒸発液でもあり得る。いくつかの実施形態において、該液は、当該液体が冷却面６２３から吸収される熱に応答して沸騰するようにヒートシンクに向けられる低温沸点液体である。いくつかの実施形態において、該液体は、他のどのような適当な液体（例えばフレオン（商標）又は液体窒素）も使用可能であるが、テトラフルオロエタン（沸点２６℃）、ＣＯ2（沸点７８℃）である。いくつかの実施形態において、該液体は、スプレージェット６１０及び６２０で噴霧される。
【００５８】
随意的に、該液体は、ベースユニット又はハンドルに設けられた容器６２５に収容され得る。好ましくは、容器６２５は、ユーザーが自分で交換可能なように、ユーザーによって容易にアクセス可能である。導管６２６は、液体をスプレージェット６１０及び６２０へと移送するために用いられる。冷却流の量は、弁６２７によって調整され、該弁は、あるシステム（例えば、図５のシステム５００）に存在する熱の量に関する情報を用いて、手動により又は電気的に制御され得る。例えば、センサー（例えば、図５のセンサー５２４）は、弁６２７内のフィードバック制御されるソレノイドを制御するために使用され得る。随意的に、各スプレージェット６１０及び６２０は、弁とスプレージェットの組合せであり得、これは、別個の弁６２７の必要性をなくす。
【００５９】
随意的に、蒸発がそこから生じる冷却面６２３は、表面積を拡大するためにテクスチャード加工とされ（木目を付けられ）得、そこから液体は蒸発され得る。蒸発面の三角形状の構成（木目）６１５が示されるが、表面積を拡大するためのどのような適当な形状も導入され得る。図示の三角形状構成６１５は、直線状の溝パターン、同心円の溝パターン又は他の適当な溝パターンの一部であり得る。他の木目構成は、複数の突出部（例えば、冷却面から半球状、円柱状又はピラミッド状に突出するもの）を含む。随意的に、カラー６３０は、スプレージェット６１０、６２０及びヒートシンク５３０を囲み、該スプレーを収容するために使用され得る。
【００６０】
相変化液は、光美容装置に電力を供給するか及び／又は該装置を制御するために使用される電子機器回路６４４を冷却するためにも使用さ得る。特に、光美容装置の電力を制御するために使用されるパワー電界効果トランジスター（ＦＥＴ）は、大量の熱を発生させる。慣例的に、パワーＦＥＴは、比較的大きいヒートシンク、及び熱を除去するファンを用いて冷却されている。そのようなシステムは、大きくかつ重くなりがちである。本発明に従う冷却システムは、別の冷却方法を提供する。
【００６１】
随意的に、ＥＭＲ源によって発生される熱を除去するために液体を供給する相変化液導管６２６の一部は、相変化液の一部をスプレージェット６４０へと向けるように構成され得る。スプレージェット６４０は、相変化液の一部を冷却面（例えば、ヒートシンク６４２の面）上へと向ける。熱センサー６４６（例えばサーミスター）は、例えば弁６５０を制御することによって、冷却面上へと放出される液体量を制御するために使用され得る。
【００６２】
図６Ｂは、流れる冷却液６０５を利用するヘッド内で使用するための冷却システム６５０の別の実施形態の概略図である。図６Ｂにおいて、高圧液体は、容器６５５（例えば、１〜５気圧下のテトラフルオロエタン）内に保たれ、ノズル６６０を通って冷却面６６５上へと放出される。ノズル６６０から放出された液体６０７は、液滴又は液流の形態であり得る。いくつかの実施形態において、該液体は、液滴の乏しい空気力学特性（すなわち、高い抵抗）を克服するため、流れとして放出され、従って、冷却システム６５０の熱除去特性を改善する。上述したように、冷却面６６５は、良好な熱の導体（例えば、銅又は銀）であるどのような材料でもあり得る。好ましくは、冷却面６６５は、液体６５５が面６６５から垂れるのではなく該面から蒸発するよう十分大きな寸法を有するように選択される。
【００６３】
ノズル６６０から発射される液体６０７は、冷却面６６５上へと放出され、冷却面６６５上に流れる液体６０５を形成する。ノズル６６０及び冷却面６６５は、ノズル６６０から放出される液体６０７が、ノズル６６０と冷却面６６５との間の全距離で液体の流れ（細流（stream））であり、面６６５に突き当たるやいなや、冷却面６６５において流れる液体を形成するように選択され得る。あるいは、ノズル６６０及び冷却面６６５は、ノズル６６０から放出された液体６０７が、冷却面６６５において集約して流れる液体を形成する前に、ノズル６６０と冷却面６６５との間で液滴のスプレーを形成し得るように選択され得る。ノズル６６０から放出される液体が高圧下にあるので、冷却面６６５における流れる液体は、比較的高速度Ｖで冷却面６６５にわたって流れる。
【００６４】
冷却面６６５上における流れる液体６０５の形成は、液滴（すなわち、流れない液体）が冷却面６６５に形成される従来の冷却システムに比べて、面６６５からの熱除去を高めるために使用され得る。例えば、改善された熱除去は、液滴（従来システムで形成されるような）が、選定された量の熱除去を実現しかつ維持するために十分な数又は密度に形成されないという事実を起因とし得る。
【００６５】
図６Ｃは、冷却液６５５を利用しかつ冷却室６８４を有するヘッドに使用するための冷却システム６７０の別の実施形態の概略図である。ヘッド６７０は、側壁６７５とカバー６８０を有し、カバー６８０は、ノズル６６０からの液体６５５が入るための口６８２を有する。側壁６７５及びカバー６８０は、室６８４を形成する。口６８２は、蒸発した冷却液のための排気口としての役割も果たし得る。矢印６８６で示されるように、側壁６７５及びカバー６８０は、液体６５５の方向を、カバー６８０から冷却面６６５へと戻るように変える。側壁６７５は、側壁６７５に接触する液体が冷却面６６５から熱を除去し得るように、好ましくは、冷却面６６５に熱的に連結されるように選択される。随意的に、側壁６７５は、側壁６７５に接触する液体が熱を除去し得るように、冷却面６６５と一体化され得る。いくつかの実施形態において、冷却液が冷却面６６５に達する可能性を高めるため、カバー６８０が冷却液に対し乏しい熱伝導率及び乏しい湿潤特性を有することが好ましいであろう。例えば、いくつかの実施形態において、カバー６８０は、重合体又は有機ガラスから成る。室６８４は、側壁及びカバーを有しかつこれらがその間にある角度を成すものとして図示されるが、該室は連続的な曲率を有するように形成され得る。
【００６６】
口６８２は、蒸発した液体６５５の排気口として働くので、口の領域（面積）Ｓは、室６８４内に維持された圧力を決定する。いくつかの実施形態において、口６８２は、冷却面６６５上に放出される液体の速度を落とさせる背圧を防ぐのに十分大きな面積Ｓを有するように選択される。しかしながら、口６８２は、カバー６８０が液体の大部分の方向を変えて冷却面６６５へと戻し、かつ、室６８４内の圧力を維持して液体があまりにも素早く蒸発することを防ぐようにすることを可能にするよう十分小さくなるように選択され得る。例えば、口面積Ｓは、ノズルの面積の約１００〜２００倍であり得る。いくつかの実施形態において、冷却液は、大気圧以下の圧力に対し摂氏−２６度未満の沸点を有する液体であるように選択される。
【００６７】
図６Ｄは、冷却液を利用するレーザーヘッド６９０の実施形態の側断面図であり、ここでは、排気口６９２が液体が室６９６へと入るための口６９４とは分けられる。室６９６は、冷却面６８８、側壁６９３及びカバー６９５で境界が定められる。冷却面６８８は、連結板（詳細は後述される）を介して源５２５及び光学システム５２０に熱的に連結される。ノズル６９８からの冷却液は、テクスチャード加工された（木目のある）冷却面６８８上へと噴出される。冷却面６８８と直接接触しない冷却液の一部は、矢印６８６に示されるように、側壁６９３及びカバー６９５によって方向が変えられる。
【００６８】
随意的に、カバー６９５は、液体の方向を冷却面６８８へと変えるその機能を高める共鳴振動数（共鳴周波数）を有するように選択され得る。また、随意的に、液体の運動エネルギーを減少させる手段（例えばプロペラ、図示せず）が、液体を冷却するために、ノズル６９８と冷却面６８８との間に配置され得る。
【００６９】
図７は、皮膚面１１０と接触するためのヘッド７００の実施形態の側断面図である。ヘッド７００は、電極５１５、５１６内にチャネル７３０及び７３１を有する。蒸発による冷却は、電極５１５、５１６の底面及びチャネル７３０、７３１の面に沿って生じ得、従って、ヘッド７００の冷却表面積を拡大する。好ましくは、チャネル７３０及び７３１の位置は、ダイオードレーザーバー５１０に近い。一実施形態において、チャネル７３０、７３１は、ダイオードレーザーバー５１０の全長に沿って（すなわち、方向ｘに沿って）設けられる。いくつかの実施形態において、チャネル７３０、７３１は、スプレーを受けるため、スプレージェット６１０の近くに設置される。チャネル７３０及び７３１は、矩形断面、又は冷却を改善するのに適した他のどのような断面をも有し得る。例えば、開口７４０、７４２は、スプレージェット６１０からのスプレーを受け入れるために、フレアーであり得る。ダイオードバー５１０の全長に沿って延長する単一のチャネルの代わりとして、一連の（複数）チャネルが、ダイオードレーザーバー５１０の全長に沿って、ダイオードレーザーバー５１０の一側部又は両側部に配置され得る。
【００７０】
図８は、冷却システム８００の別の実施形態の側断面図である。図８において、液体は、冷却面８２３から熱を除去するために使用されるが、該液体は、スプレー形態では用いられない。図示の模範的な実施形態において、液体はリザーバ８２５から出て、冷却面８２３内に設けられた複数のチャネル８３２内へと流れる。複数の各チャネル８３２の長さは、源５１０の長手方向に延長する。該液体は、冷却面８２３と熱的又は物理的に接触するようにされる。
【００７１】
随意的に、該液体は、冷却面８２３から吸収される熱に応答して蒸発する低沸点液体であり得る。弁８３３は、該液体の状態を制御するために使用され得る。著しい冷却が望まれる場合、弁８３３は開放され、また、平衡状態より小さい圧力が該液体にかけられ、蒸発を助長する。圧力降下は、液体を沸騰させ、これは、冷却面８２３から熱を除去する。チャネル８３２は、光源５１０の長手と平行な方向に延長するように図示され、また、チャネルは矩形断面を有するように図示されるが、一又は複数の種々の方向に整列された他の形状のチャネル８３２もあり得、それは本発明の範囲内である。フィードバック信号は、制御弁８３３におけるソレノイドを制御するため、熱センサー（例えば、図５のセンサー５２４）から得られ得る。
【００７２】
図９は、皮膚面１１０に接触させるためのヘッド９００の別の模範的な実施形態の側断面である。ヘッド９００は、固体団塊（固体団塊（相変化固体ともいう））８３４と物理的に接触するようにされる冷却面９２３を有する冷却システムを備えている。固体団塊８３４の少なくとも一部は、冷却面９２３から吸収される熱に応答して相を変える。該相変化は、固体から液体又は固体から気体であり得る。いくつかの実施形態において、該固体は、ほぼ−１０℃〜＋３０℃の融解温度を有する。しかし、いくつかの用途において、この範囲外の相変化、特にこの範囲より下の相変化をこうむる物質も利用され得る。
【００７３】
いくつかの実施形態において、固体団塊は、ユーザーが自分で交換可能なように、装置ハンドピース（例えば、図１のハンドピース１７０）内に都合良く配置される。該固体団塊は、ユーザーの手との接触を避け、及び／又は、室温への露出をさせないように溶解を最小化するため、絶縁スリーブに収容される。図示の実施形態において、温度制御は、固体団塊を冷却面９２３と接触させかつ該接触を断つために手動的又は電気的に制御されるソレノイド又はスプリング８３５を用いて実現され得る。
【００７４】
相変化冷却システムの一実施形態において、相変化固体は氷である。この実施形態において、ユーザーは、彼／彼女の冷凍庫内に一又は複数の氷結アイスブロックを保ち得る。ユーザーが光美容装置を操作したい場合、氷結アイスブロックは、該装置内に挿入され得る。別の実施形態において、著しく低い融解点を有するドライアイスも、より高い冷却能力を達成するために使用され得る。当然のことながら、アイスブロックは、水、又はユーザーの皮膚を処理するために一もしくは複数の添加剤を有する水を含有し得る。
【００７５】
いくつかの実施形態において、市販入手できる有機化合物（例えば、パラフィン蝋ベースの材料、脂肪酸、架橋ポリエチレン）が、相変化固体として使用され得る。適当なパラフィン蝋材料の例としては、Rubitherm株式会社製のＲＴ２５を含む。ＲＴ２５は、２７．７℃の融解点を有する。別の実施形態において、２０〜３５℃の範囲の融解点を有するグリースが、相変化固体として使用され得る。別の実施形態において、１５〜５０℃の範囲内又は５０℃以上の融解点を示すように調整されるＧａ又はＧａ合金（例えば、Ｇａ／Ｉｎ、Ｇａ／Ｉｎ／ＳｎもしくはＧａ／Ｉｎ／Ｓｎ／Ｚｎ）が、固体団塊として使用される。Ｇａ／合金において、Ｇａ（４０．６Ｗ／ｍ*Ｋ）及びＩｎ（８１．６Ｗ／ｍ*Ｋ）の比較的高い熱伝導率は、廃熱を合金容積じゅうにわたって広げるのに役立つであろう。使い捨ての相変化冷却カートリッジは、相変化固体を収容するために使用され得る。例えば、相変化固体は、一度使用したら捨てられるか、又は、再投入可能であり得る（すなわち、一又は複数回の再固体化）。
【００７６】
図１０は、冷却システムを有するヘッド１０００の実施形態であり、該冷却システムには、冷却のため、吸熱性化学反応が用いられる。適当な反応の例は、吸熱反応を引き起こす、水に導入された硝酸アンモニウム（ＮＨ4ＮＯ3）又は塩化アンモニウム（ＮＨ4Ｃｌ）である。例えば、２００ｍｌの水が２００ｇのアンモニウムと混合される場合、ほぼ−５℃の温度が達成され得、従って熱の吸収を許容する。
【００７７】
図１０において、吸熱反応は反応室１０５０内で起こり、該反応室は、冷却面１０２３と熱的に連結される。いくつかの実施形態において、反応室１０５０は、良好な熱伝導率を有する材料を介して冷却面１０２３に連結され得る。いくつかの実施形態において、該機構は、水の第１の室と塩化アンモニウムの別の（第２の）室と分離する薄膜１０５１を含む。いくつかの実施形態において、膜１０５１は、反応を開始するために破られ得、反応室は、使い捨て容器であり得る。例えば、ユーザーは、膜を破るため、フレキシブルなプラスチック反応室に力を加え得、これにより、該装置の電源を入れる前にコールド液のリザーバを作り出す。あるいは、該膜は、第１及び第２の室の内容物の相互作用を可能にするため、除去されか、又は既知のどのような手段によっても他の態様で操作され得る。
【００７８】
図１１は、導管１１１０及び排気口１１２０を有する装置１００の実施形態の側断面図である。図１１において、排気口１１２０に入る液体又は気体は、処理中、皮膚領域１１３０を事前に又はその後に冷却するために皮膚領域１１３０へと向けられる。例えば、冷却面５３０上へとスプレーされる上記冷却液の一部、又は該液の蒸発から生じる気体は、導管１１１０に入り得、また、口１１２０にによって皮膚上へとスプレーされ得る。該液体の一部は、濃縮され蒸発するか、又は単なる余分な液体であり得る。上述したように、水道水が冷却（又は図９に関連して述べたような氷の相変化冷却器）に利用される場合、水が冷却面５３０を冷却するために使用された後、水の一部を転用することが可能となり得る。いくつかの実施形態において、相変化冷却システムから生じた気体からの圧力は、患者の皮膚上へとローションを駆り立てるために使用され得る。図示の実施形態は、冷却液の一部を、これが面５３０の冷却に使用された後に転用することを示すが、いくつかの実施形態において、冷却液の一部は、冷却面５３０を冷却するのに使用されることなく、皮膚上へと直接噴出され得る。
【００７９】
随意的に、一又は複数の添加剤が、皮膚へのスプレーの前に（例えば、冷却ローションを形成するため）導管１１１２を介して液体に加えられ得る。該添加剤は、ハンドピース又はベースユニットにおけるカートリッジ（図示せず）内に保管され得る。いくつかの実施形態において、「シャワー効果」を実現するため、ヒートシンクを出る水の全部が、皮膚上へと排出され得る。蒸発液体の別の使用として、気体、液体又はローションの別の源（すなわち、冷却システムからの独立）は、ハンドピース又はベースユニットのカートリッジに保管され、かつ、ハンドピースが皮膚面にわたって移動する間、分配され得る。
【００８０】
不明確化を防ぐため、本発明の側面で使用するための光学システムの以下の模範的実施形態は、単一の電磁放射源に関連して説明される。しかしながら、上述したように、一又は複数の源が、一又は複数の放射領域を形成するために使用され得る。後述の模範的な光学システムにおいて、光学倍率を有する各面は、第１軸（例えばｙ軸）に沿う出力、及び、第１軸に垂直な軸（すなわちｘ軸）に沿うゼロ光学倍率を有する。すなわち、（複数）レンズは、円筒（円柱）状である。後述する実施形態は平面曲率又は円筒（円柱）曲率を有するが、他の屈折又は回折の光学的設計も本発明の範囲内である。
【００８１】
図１２Ａは、本発明のいくつかの側面に従う光美容装置での使用に適した単一素子光学システム１２００の実施形態の一例の側面図である。光学システム１２００は、電磁放射源１２２０（例えばレーザーダイオードバー）から患者の皮膚１１０へと光を伝送するための素子１２１０を含む。素子１２１０は、入力面１２１１と、患者の皮膚に接触するように構成された出力面１２１２とを有する。
【００８２】
源１２２０は、素子１２１０の入力面１２１１に近接して連結される（例えば１ｍｍの離隔）。近接した連結は、光の大部分が、レーザーダイオード源の高発散速軸に沿って患者の皮膚へと送られることを可能にする。いくつかの実施形態において、入力面１２１１は、反射防止（ＡＲ）コーティングを有する。
【００８３】
上述したように、素子１２１０は、作動波長において実質上透過性を有する材料から成り、好ましくは、処理される皮膚面から熱を除去するために熱伝導性がある材料（例えばサファイア）から成る。いくつかの実施形態において、素子１２１０の横方向側部１２１３は、作動波長において反射性を有する材料（例えば銅、銀又は金）で被覆される。加えて、源１２２０と入力面１２１１との間の空間１２２１は、面１２１１における入射光の強さを高めるため、反射性材料で包囲され得る。
【００８４】
一実施形態において、光学素子１２１０は、サファイア板である（すなわち、面１２１１及び１２１２は平面で、光学倍率を有しない）。光学システム１２００の別の実施形態において、光学面１２１２は、円筒曲率を有し（図１２に示されるように）、また、入射光を面１２１２に集束するように選択される。例えば、一実施形態において、面１２１２は、ほぼ３ｍｍの曲率半径を有する。このシステムは、高い処理フルエンスを要求する皮膚組織を処理するために使用され得る。例えば、図１３のレンズ系は、毛嚢の幹細胞、皮脂腺、下漏斗、維管束組織、入れ墨又はコラーゲンを狙うように使用され得る。
【００８５】
いくつかの実施形態において、横方向面１２１３は、ほぼ５〜５０ｍｍの範囲の長さＬを有し、また、断面幅（ｘ方向で測定される）及び高さ（ｙ方向で測定される）は、源１２２０から光を集めるように選択される。例えば、素子１２１０に近接連結された二つの１ｃｍダイオードレーザーバーから成る源では、断面幅は２ｃｍに選定され、断面高さは２ｃｍである。
【００８６】
図示されるように、光学素子１２１０は、源１２２０からの光の一部を、横方向面１２１３に反射することなく面１２１２へと直接伝送し（模範的光線１２３０）、また、源１２２０からの光の一部は、面１２１２に到達する前に横方向面１２１３から反射される（模範的光線１２３２）。全反射を用いて源からの光の一部を面へと向ける素子１２１０のような要素は、本書面中、「導波管」ともいう。
【００８７】
随意的に、先端反射体１２２２が、皮膚外へと散乱される光の方向を皮膚内へと向け戻すために付加され得る（光子リサイクリングと呼ばれる）。近赤外線（near-IR）における波長では、皮膚面における入射光の４０%〜８０%が皮膚外へと散乱される。当業者は、散乱量が皮膚の色素沈着に部分的に依存することを理解するであろう。先端反射体１２２２を用いて皮膚外へと散乱する光を皮膚へと戻すように方向を変えることにより、システム１２００によって与えられる実効（有効）フルエンスは、二倍以上まで高められ得る。一実施形態において、先端反射体１２２２は、素子１２１０の上方横方向面及び下方横方向面から総計３ｍｍ伸長する。いくつかの実施形態において、先端反射体１２２２は、光を皮膚へと反射させる銅、金又は銀のコーティングを有する。
【００８８】
反射コーティングは、皮膚から反射された光／散乱された光にさらされる該装置のどの非伝達面にも適用され得る。当業者は理解するであろうように、これらの面の位置及び有効性は、光源の選択された焦点合わせ形態及び位置に依存する。光子リサイクリングは、Altshuler等による２０００年８月９日付け米国出願第０９／６３４，９８１号、タイトル「Heads for Dermatology Treatment」、及び、１９９９年３月１２日付け出願第０９／２６８，４３３号において更に論述されている。これらの内容は参照により本書面中に組み込まれる。図１２Ｂは、図１２Ａに示されるような源１２２０及び素子１２１０を有するそのような光学システム１２００の実施形態の一例の光線跡である。
【００８９】
図１３は、本発明のいくつかの側面に従う光美容装置での使用に適した二部品円柱状光学システム１３００の実施形態の一例の側面図である。ここにおいて、素子１２１０と共にコリメーター１３１０が使用される。図１３において、速軸コリメーター１３１０は、光学源１２２０に非常に近接して（例えば０．０９ｍｍ）連結される。一実施形態において、コリメーター１３１０は、全長１．５ｍｍで、平面入力面１３１１と、コリメーター１３１０の出力を視準する（平行にする）ある曲率を有する出力面１３１２とを有する。コリメーター１３１０は、放射ビームを創生し、これは、出力面１３１２でのＹ次元において実質上視準される。例えば、コリメーター１３１０は、ドイツ国ドルトムントのLimo株式会社製のモジュール番号Ｓ−ＴＩＨ５３のレンズであり得る。
【００９０】
視準されたビームは、光学素子１２１０の入力面１２１１上へと放射される。上述したように、素子１２１０は板であり得、又は、皮膚における散乱を補償するために弱く集束していてもよい（例えば、出力面１２１２は、３ｍｍと同程度の曲率半径を有し得る）。このシステムは、高度処理フルエンスを要する皮膚組織の処理のために使用され得る。例えば、図１３のレンズ系は、毛嚢の幹細胞、皮脂腺、下漏斗、脈管、入れ墨又はコラーゲンを狙うために使用され得る。図１３Ｂは、図１３Ａに示されるような源１２２０、コリメーター１３１０及び素子１２１０を有するそのような光学システム１３００の実施形態の一例の光線跡である。
【００９１】
図１４Ａは、本発明のいくつかの側面に従う光美容装置での使用に適した二部品円柱状光学システム１４００の実施形態の別の例の側面図である。光学システム１４００において、源１２２０から光を放射するため、速軸コリメーター１３１０の面１３１２から０．１ｍｍに設置された図１３の速軸コリメーター１３１０が使用される。素子１４２０は、曲率１ｍｍの入力面１４２１と、平面出力面１４２２とを有し、全長が１ｍｍである。システム１４００は、面１４２２からほぼ１ｍｍ（すなわち、面１４２２が患者の皮膚と接触するように構成される実施形態では、皮膚面下１ｍｍ）に光の焦点を合わせる。一実施形態において、素子１３１０及び１４２０の高さは、１．５ｍｍに選定される。いくつかの実施形態において、レンズ１４２０はサファイアから成る。このシステムは、高処理フルエンスを要する浅い皮膚組織を狙うために使用され得る。例えば、図１４のレンズ系は、乾癬、皮脂腺、毛幹又は毛幹細胞を狙うために使用され得る。図１４Ｂは、図１４Ａに示されるような源１２２０、コリメーター１３１０及び素子１４２０を有するそのような光学システム１４００の実施形態の一例の光線跡である。
【００９２】
図１５Ａは、本発明のいくつかの側面に従う光美容装置での使用に適した二部品円柱状光学システム１５００の別の例の側面図である。図１５は光学システム１５００を示し、これは、例えば、図１４の光学システム１４００よりも深くダイオード光の焦点を合わせるために使用され得る。例えば、光学システム１５００は、皮膚の深部組織（例えば、毛球、深い血管、皮下脂肪）を狙うため、皮膚面下ほぼ２ｍｍ（すなわち、面１５２２から２ｍｍ）にダイオード光の焦点を合わせ得る。
【００９３】
システム１５００は、源１２２０から光を放射する二部品対称レンズ系である。第１素子１５１０は、源１２２０からほぼ１．４ｍｍに設置され、また、平面である入力面１５１１と、曲率２．５ｍｍの出力面１５１２とを有する。従って、レンズ１５１０は、光源１５２２からの光を疑似（準）視準（quasi-collimate）する。第２レンズ１５２０は、曲率２．５ｍｍの入力面１５２１と、平面出力面１５２２とを有する。従って、レンズ１５２２は、疑似視準される光の焦点を皮膚面下２ｍｍに合わせる。図示の実施形態において、光学システムにおける収差は、出力面１５２２における実質上均一（すなわち「平頂」）な空間光学強度分布を実現するために平衡にされる。該平頂強度分布は、円柱面１５２２を横断する平面における球面収差によって実質上決定される。いくつかの実施形態において、レンズ１５１０及び１５２０はサファイアから成る。図１５Ｂは、図１５Ａに示されるような源１２２０、素子１５１０及び素子１５２０を有するそのような光学システム１５００の実施形態の一例の光線跡である。
【００９４】
図１６Ａは、光美容処置を実行するためのヘッド１６００の模範的実施形態の概略図である。ヘッド１６００は、記載を容易にするためにハウジングなしで示される。上述したように、ヘッド１６００は、患者の皮膚領域に沿って、一般に方向１６０２又は方向１６０４に移動される。
【００９５】
ヘッド１６００は、ＥＭＲ源１６３０から光を伝送するために光学システム２０６を含む。電極１６２０は、ＥＭＲ源１６３０を作動させる。電気絶縁体１６５０は、電極１６２０間の電気的接触を防ぐため、電極１６２０間に設置され得る。電極１６２０は、患者の皮膚との接触面積を減少させるため、テーパーが付けられ得る。
【００９６】
図１６Ｂは、光美容処置を実行するためのヘッド１６５０の模範的実施形態の概略図であり、これは、光美容処置中に筋肉刺激を行う機能をも提供する。電気的筋肉刺激は、周知の理学療法であり、いくつかの光美容処置の効果を高め得る。
例えば、電気的筋肉刺激は、皺又はセリュライトの処置の効能を高めるために使用され得る。
【００９７】
一実施形態において、電気的刺激を送り出すための二つの電極１６１０は、光学システム２０６の反対側に設置され、ヘッド１６００の一部上において、光美容処理中（すなわち、システム２０６によるＥＭＲの送出中）、患者の皮膚と接触するように設計される。一の電極１６１０は、光学システム２０６の前に患者の皮膚のある領域と接触し、他の電極１６１０は光学システム２０６の後に皮膚領域と接する。
【００９８】
熱伝導性電気絶縁体１６１５（例えば、ＢｅＯもしくはダイヤモンド又は他の適当な材料から成る）は、電極１６１０間の電気的接触を防ぐために使用され得、電極１６１０は電気的刺激を与え、また、電極１６２０はＥＭＲ源１６３０を作動させる。電気絶縁体１６５０は、電極１６２０間の電気的接触を防ぐため、電極１６２０間に配置され得る。
【００９９】
ハンドピースが皮膚面にわたって走査されている間、電極１６１０を介して患者の皮膚へ一定の電流（又はパルス電流）を与えることにより、同時に、筋肉刺激及び電磁気的処理が実現され得る。いくつかの実施形態において、電極は、皮膚を通じて無線周波数（ＲＦ）電流を供給し得る。あるいは、電極１６１０は、ＤＣ電流又はマイクロ波領域を供給し得る。いくつかの実施形態において、ＥＭＲ放射で処理される皮膚の一部を選択的に加熱するため、皮膚は、ＲＦ電流又はマイクロ波領域で走査され得る。皮膚の予熱は、ＥＭＲ源１６３０の出力を低減可能にする。
【０１００】
図１７Ａは、本発明のいくつかの側面に従う装置の一実施形態の一例の概略で図あり、これは、光学素子１７０４（例えば図１２の素子１２１０）と患者の皮膚１７０１の面との間の接触を確認する。目の安全に供するため、光美容装置のいくつかの実施形態において、接触センサーが、電磁気的処理源（例えば、図５の源５１０）を、患者の皮膚と接触した時のみ作動させるために使用される。
【０１０１】
図１７Ａにおいて、照明源１７０２（例えば、処理源とは別個のダイオードレーザー又はＬＥＤ）が、素子１７０４から数ミリメーター（例えば５ｍｍ）離れて取り付けられ、患者の皮膚１７０１に向けられる。随意的に、照明源１７０２は、光を素子１７０４を通って皮膚面１７０１に向けるために取り付けられ得る。源１７０２は、処理源５１０と同じ波長で放射を発し得るが、好ましくは、処理源５１０とは異なる波長で放射を発する。検出器１７１２は、皮膚面１７０１から反射又は散乱される照明源からの光を検出するために設置される。随意的に、フィルター１７０８が、源１７０２から光を選択的に送ると共に、処理源５１０に対応する光の波長及び他の無関係な光の波長を除去するために付加され得る。
【０１０２】
皮膚接触が乏しいか又は全く無い場合、源１７０２からの比較的多量の放射光は、皮膚面１７０１から光学システム１７０４を通って検出器１７１２へと反射又は散乱するであろう。図１７Ｂに示されるように、素子１７４０が皮膚面１７０１と良好に接触している場合、皮膚における散乱及び吸収は、照明源１７０２からの光を減衰させるであろうし、また、比較的少量の放射が検出器１７１２に達するであろう。従って、検出器１７１２の出力を測定する電子的手段（例えば比較器）を使用し、かつ適切な閾値を選択することにより、該処理源は、検出器１７１２の出力が該閾値未満の場合にのみ作動するように構成され得る。随意的に、源１７０２及び／又は検出器１７１２は、ベースユニットに設けられ得、また、一又は複数の光ファイバーが、ハンドピースからの光を該源又は検出器につなぐために使用され得る。
【０１０３】
別の実施形態において、検出器１７１２は、素子１７４０と皮膚面１７０１との接触を確認するため、処理源からの光を検出する。そのようなシステムにおいて、源５１０からの光は、素子１７０４を通って検出器１７１２へと皮膚面１７０１により散乱又は反射される。放射フィルター１７０８は、この散乱され及び反射された放射を検出器１７１２へと選択的に伝送し得る。この実施形態において、処理源５１０は、皮膚面１７０１とのしっかりした接触がなされるまで、低出力で目に安全なモードに維持される。皮膚面１７０１と素子１７０４との接触が無いか又は乏しい場合、検出器１７１２の出力は、比較的低い。しかしながら、素子１７０４が皮膚面１７０１と良好に接触している場合、検出器１７０１の出力は比較的高い。従って、処理源５１０は、検出器１７１２の出力が閾値レベルを上回った場合にのみ発射するように構成され得る。
【０１０４】
あるいは、源１７０２及び検出器１７１２の代わりに、光学コンピュータシステムマウスにある標準光学接触検出器が使用され得、例えば、カリフォルニア州フレモントのLogitech製のCordLess Mouseman（登録商標）における光学接触システムである。
【０１０５】
接触を確認する光学的方法の代わりとして、電気的方法が、素子１７０４と患者の皮膚１７０１間の接触を検知するために使用可能である。図１７Ｃはハンドピースの断面図であり、該ハンドピースは、その一部に設けられた二つの電気接点１７２０を有し、素子１７０４が皮膚１７０１と接触する際に、これら接点１７２０も皮膚１７０１と接触するようにされる。接触は、接点間の抵抗（又は静電容量）を測定することにより求められ得る。処理源５１０は、接点１７２０間の抵抗（又は静電容量）が選定された範囲（すなわち、皮膚に対する典型的な範囲）内である場合に作動されるであろう。別の実施形態において、接点１７２０は、皮膚面１７０１との接触を検知する磁気センサーであり得る。別の実施形態において、接点は、皮膚面１７０１との接触を検出する機械的センサーであり得る。例えば、一又は複数のスプリング式のピン又はボタンが、素子１７０４が皮膚と接する際に該ピン又はボタンが押し下げられるように設けられ得る。素子１７０４の周囲に設けられる複数のセンサー、ピン、ボタン又は他の機械的センサーは、素子１７０４正面の全面が皮膚と良好に接触したことを保証することを助長するために使用され得る。あるいは、接点１７２０は、皮膚面１７０１との接触を確認する慣用のロードセルであり得る。抵抗又は静電容量の測定に対処する接点、センサー、ピン、ボタン又は他の機械的センサーは、接触が皮膚とであって別の面、例えば鏡面又はカウンタートップとではないことを保証することが好ましいであろう。
【０１０６】
別の実施形態において、一又は複数の温度センサーが、皮膚面１７０１との接触を確認するために使用される。典型的な皮膚面温度は、３０〜３２℃の範囲内であり、従って、温度センサーは、患者の皮膚と接触する装置面の近くに設けられ得、また、接触は、測定温度が選定された範囲（例えば、２３〜２７℃）内であった場合に生じたと決定され得る。あるいは、接触は、温度センサーが接触のある温度対時間勾配表示を測定した場合に生じたと決定され得る。更に別の実施形態において、ローションが皮膚上に分配される場合（図１１に関連して既述）、皮膚接触は、スプレージェット１１２０内の圧力センサーを使用することにより、検出され得る。該圧力センサーは、皮膚上へとローションを射出するために必要な圧力を測定するであろう。ハンドピースが皮膚と良好に接触する場合にのみ、比較的高い圧力がローションを分配するために与えられるであろう。
【０１０７】
接触センサーの設計は、Henry Zenzieによる２００１年４月３０日付け出願の米国出願第０９／８４７，０４３号、タイトル「Contact Detecting Method and Apparatus for an Optical Radiation Handpiece（光学放射ハンドピースのための接触検出方法及び装置）」により詳細に記述され、その内容は参照により本書面中に組み込まれる。
【０１０８】
ハンドピースは、指定の速度範囲内で患者の皮膚にわたって好ましく走査される。ハンドピースがあまりに遅く移動される場合（典型的な最低制限速度は、用途により５〜２５ｍｍ／ｓであろう）、光の放射線量が多くなりすぎて、望ましくない熱的損傷が生じ得る。これに対して、ハンドピースがあまりに早く移動される場合（典型的な最高制限速度は、用途により応じて５０〜５００ｍｍ／ｓであろう）、処理効能を実現するには光放射線量が少なすぎる。従って、ハンドピースがこの速度範囲内で走査される場合にのみ、ハンドピースは、処理のための電磁放射を発する。脱毛／成長遅延に対する光美容ハンドピースの操作のための模範的な速度範囲は、１０〜５００ｍｍ／ｓであり、これは、一般のカミソリが皮膚上を進行する速度とほぼ等しい速度範囲に相当する。
【０１０９】
図１８Ａは、ハンドピース速度を測定するための運動センサー１８２０を有するハンドピース１８００の一実施形態の破断側面図である。運動センサー１８２０は、ハンドピースが動かないままの場合、又は皮膚１８１０にわたる運動が遅すぎるかもしくは早すぎる場合に、処理源（例えば図２の源５１０）の強度がそれぞれ下げられるかもしくは高められるか、又は該源の電源が切られるように、該処理源に対しフィードバック制御を与えることにより、皮膚１８１０に対する損傷を防ぐように使用され得る。随意的に、処理源は、出力の低減に代えて不能にされ得る。一実施形態において、ホイール１８２１は、ハンドピース１８００が皮膚１８１０に対し移動しながら該ホイールが回転して、ハンドピース速度が測定され得るように、皮膚１８１０と物理的接触をなすように配置される。
【０１１０】
ハンドピース１８００は、ハンドピースが許容できる速度範囲内又は該範囲外にある場合、オペレーターに知らせるように構成され得る。例えば、触覚インジケータ（例えばバイブレーター）は、ハンドピース速度が所望範囲内又は外にある場合にハンドピースを振動させるように構成され得る。あるいは、視覚インジケータ１８０４（例えばＬＥＤ）又は聴覚インジケータ（例えば電子ブザー）が、ハンドピース速度が所望範囲内又は外であることをオペレーターに知らせるために使用され得る。いくつかの実施形態において、複数のインジケータ１８０６（例えば、異なる色を有する複数のＬＥＤ又は異なる音の複数のインジケータ）が、ハンドピース速度が速すぎたりあるいは遅すぎたり又は所望範囲内であることをオペレーターに知らせるために使用され得る。
【０１１１】
図１８Ｂは、少なくとも一つのホイール１８２１を有する運動センサーシステムの実施形態の一例の概略図である。好ましくは、光学システム２０６の全皮膚接触面が、患者の皮膚に均一な照明を与えるために受容できる範囲内の速度で移動することを保証するため、光学システム２０６の反対側に第２のホイール１８２１が付加設置される。
【０１１２】
一実施形態において、各外部ホイール１８２１は、外周に穿孔を有する対応する補助内部ホイール１８２２に連結される。源１８３０は、対応する検出器１８３２の方向に光を放出し、それにより、ホイール１８２１が回転するにつれ、補助ホイール１８２２の穿孔が、源１８３０から放出された光を交互に伝達及び阻止する。その結果、ハンドピース１８００（図１８Ａ）が患者の皮膚にわたって移動する際、検出器１８３２は、パルスの連鎖を有する信号を生成する。
【０１１３】
当業者は、患者の皮膚にわたるハンドピースの速度が、パルスが発生する速度に比例することを理解するであろう。制御部１８３４は、パルスレートをハンドピース速度に関連付ける。上記の穿孔のある補助ホイール設計は、標準コンピュータシステムマウス設計、例えば、カリフォルニア州フレモントのLogitec社製の３Bth Wheel Mousenにおけるマウスホイールと類似し、これは、ハンドピース速度を測定する装置の単なる一例であり、他の多くの装置があり得、かつ本発明のこの側面の範囲内にある。例えば、別の実施形態において、ハンドピース速度に比例する電圧を発生させるため、単純な電気モーターがホイール１８２１に連結される。
【０１１４】
図１９は、ハンドピース速度を測定するための運動センサーを有する別の光学装置１９００を示す。装置１９００において、光源１９０２（例えば、赤外線ＬＥＤ）は送信ファイバー１９０４に連結される。光検出器１９１０（例えば、安価なＣＣＤカメラ又はダイオードセンサー）は、受信ファイバー１９０６の端部に連結される。装置１９００において、送信ファイバー１９０４及び受信ファイバー１９０６の端部は、皮膚１９０８に接触する単一のファイバー端部１９０９を形成するように共に結合される。送信ファイバー１９０４によりファイバー端部１９０８を通って皮膚面１９０８上へと放出される光の一部は、皮膚面１９０８から反射又は散乱され、また、ファイバー端部１９０９を通って受信ファイバー１９０６で受信され、かつ検出器１９１０で検出される。皮膚面１９０８が半断続的組織を有するので（例えば、毛嚢、血管、腺のような同様組織間の間隔はほぼ不断の組織である）、検出器出力は、ハンドピース速度に依存する割合で調整（変調）される。当業者は、ハンドピース速度が、調整された検出器出力から計算され得ることを理解するであろう。随意的に、送信ファイバー／受信ファイバーの第１及び第２組が光学システム２０６の両側に設けられるように、ファイバー端部１９１１を通じて共に結合された第２の送信ファイバー１９０５及び受信ファイバー１９０７が付加され得、これにより、光学システム２０６の全皮膚接触面が、患者の皮膚に均一な照明を与える許容範囲内で皮膚にわたって移動することを保証する。
【０１１５】
システム１９００において、各送信ファイバー１９０４、１９０５は対応する受信ファイバー１９０６、１９０７に連結される。あるいは、送信ファイバー及び対応する受信ファイバーは、別個の分離した点で皮膚に接触する（すなわち、送信ファイバー及び対応する受信ファイバーは、皮膚において連結されない）。そのような実施形態において、皮膚に接触している上記両ファイバーの端部は、組織層によって散乱される光子が確実に検出され得るどのような間隔分でも離され得る。そのような実施形態において、受信ファイバーへとつなげられる光が、散乱光子の量が、正確に検出されないほど少ない信号を発生する程度まで低減される場合、ファイバースペースにおける上限が生じる。
【０１１６】
ハンドピース速度を測定するための光学装置が記述されたが、当然のことながら、速度測定の他の方法も本発明のこの側面の範囲内にある。例えば、ハンドピースが皮膚に対し移動する際、皮膚の電気的（静電容量及び抵抗）／磁気的特性の時間依存性を記録することにより、ハンドピース速度を測定する電磁気的装置である。あるいは、ある物体が皮膚面に沿って引きずられながら発する音の周波数スペクトル又は振幅が測定され得、その結果得られた情報は、速度の計算に用いられ得る。その理由は、音響スペクトルは、速度に依存するからである。あるいは、ハンドピース速度を測定するために熱センサーを使用することである。これは、ハンドピースが皮膚に沿って移動する方向に沿うある距離だけ離された二つのセンサーを使用する（例えば、一つは光学システムの前、一つはその後ろ）。そのような実施形態において、第１のセンサーは、ハンドピース速度とは無関係に、未処理の皮膚の温度を監視し、また、第２のセンサーが、照射後の皮膚温度を監視する。ハンドピース速度が遅くなるほど、皮膚の一定面積に送出されるフルエンス（流束量）は大きくなる。これは、結果として、第２検出器で測定されるより高い皮膚温度をもたらす。従って、当該速度は、二つのセンサー間の温度差に基づいて計算され得る。
【０１１７】
熱的特性を用いるハンドピース速度の測定のための別のシステムは、ハンドピースが皮膚に沿って移動する方向に沿う熱センサーから選択された距離に設置される熱源（例えば、処理源又は皮膚のある領域を加熱する別の手段）を使用する。そのような実施形態において、ハンドピース速度は、熱センサーで測定された温度から求められ得る。低ハンドピース速度では、熱は、皮膚を通じて熱源から熱センサーへと伝わるのに十分な時間を有するであろう。しかしながら、高速では、熱は、熱センサーに到達する時間がないであろう。従って、熱センサーで測定された高い皮膚温度は、低速度を示し、一方、低い皮膚温度は高速度を示すであろう。
【０１１８】
速度センサーの別の実施形態において、光学装置は、ドップラー偏移技術を用いてハンドピース速度を測定するために使用される。そのようなシステムにおいて、プローブレーザーからの光の波長は、皮膚上に放出され、速度は、光の反射部分の偏移された周波数によって求められる。
【０１１９】
上記実施形態のいずれでも、速度センサーは、接触センサー（例えば、図１７Ａ〜１７Ｃに関連して上述されたような接触センサー）と共に使用され得る。ハンドピースの一実施形態において、接触及び速度の両方は同一の構成要素（素子）で求められる。例えば、慣用のコンピュータの光学マウスにおいて使用されるような光学−マウス−型センサーは、接触及び速度の両方を求めるのに使用され得る。そのようなシステムにおいて、ＣＣＤ（又はＣＭＯＳ）アレイセンサーは、皮膚面を連続的に映す（映像化する）ために使用される。既述したような皮膚の特徴の特定の組の速度を追跡することにより、ハンドピース速度が測定され得、また、アレイセンサーによって受信される光信号の強さが、皮膚と接触するやいなや増加するので、接触は、信号強度を監視することにより求められ得る。その上、ＣＣＤ又はＣＭＯＳ素子のような光学センサーは、皮膚から反射される光に基づいて、皮膚の色素沈着レベル又は皮膚の種類を検出及び測定するために使用され得る。
【０１２０】
本発明のいくつかの実施形態において、運動センサーが、放射源出力を制御するために、フィードバックループ又はルックアップ表と共に使用される。例えば、放射されたレーザー出力は、ルックアップ表に従ってハンドピース速度に比例して高められ得る。この方法において、ハンドピース速度の範囲でハンドピースが移動するという事実にもかかわらず、固定した皮膚温度が選択された深さにおいて維持され得る（すなわち、皮膚面における一定のフラックスを維持することにより）。一定の皮膚温度を特定の深さで実現するために使用される出力は、米国特許出願第０９／６３４，９８１号に更に詳細に記載されており、これは参照により本書面中に組み込まれる。あるいは、処理後の皮膚温度が監視され得、また、フィードバックループが、レーザー出力を変えることにより、皮膚面において実質上一定のフルエンスを維持するために使用され得る。皮膚温度は、慣用の熱センサー又は非接触中赤外線光学センサーのいずれかを使用することにより、監視され得る。上記運動センサーは模範的なものである。運動の検出は、音（例えばドップラー情報の使用）のような他の手段によって実現され得る。
【０１２１】
上記実施形態は、オペレーターによって移動されるようなハンドピース速度を監視するシステムに関連して述べられたが、ハンドピースは、ハンドピースを皮膚に沿って制御された所定の速度で移動させる並進台に取り付けられ得る。そのような実施形態において、該装置は、選択された皮膚領域を処置するために患者に対し配置され、また、該並進台は、必要に応じ次の領域へと移動され得る。
【０１２２】
図２０は、内蔵型の光美容装置のいくつかの側面を示すハンドピース２０００の一実施形態の一例の概略である。ハンドピース２０００は、光学源２０５５と、電源２０４７と、光学システム２０４４と、冷却システム２０４６と、速度及び／又は接触センサー２０４８とを含む。該装置は、皮膚２０４３のある領域と接触して示される。光学システム２０４４は、光源２０５５からの光を皮膚処理領域２０４３へとつなぐ。
【０１２３】
冷却システム２０４６は、相変化冷却器又は他の適当な冷却システムであり得る。いくつかの実施形態において、冷却システム２０４６は、ヒートシンク２０４５（又は電極又は他の冷却面、図示せず）と良好な熱的接触をしている。電源２０４７（例えばバッテリー又はコンデンサー）は、光学源２０５５に電流を供給する。接触及び／又は速度センサー２０４８は、上述したように安全で効果的な処理を確実なものとする。接触及び速度センサーは単一の構成要素として図示されるが、当然のことながら、該接触及び速度センサーは、別々の構成要素であってもよく、また、既述した複数の各種のセンサーが存在し得る。制御電子機器回路２０４９は、 process data from contact接触／速度センサー２０４８又は他のセンサー（例えば熱センサー）からのデータを処理し、光学源２０５５及び冷却システム２０４６を制御する。冷却システム２０４６は、熱接触板２０５０を介して処理前に冷却され得る。電源２０４７は、電気接点２０５１を介して充電され得る。オン／オフボタン２０５２は電力を制御する。ハウジング２０５３は、一又は複数の上記要素を封入し、保護し又は取り付けるために使用され得る。
【０１２４】
随意的に、脱毛装置２０５４は、実質的に皮膚面上に全く毛が伸びていないことを確実にするよう、光学源２０５５からの光による照射の前に毛を除去するために設けられ得る。例えば、脱毛装置２０５４は、かみそり刃（例えば、安全かみそり、カートリッジかみそり）、電気かみそり、毛が面に付着してハンドピースがユーザーの皮膚に沿って移動するにつれて引き抜かれるストリッピング装置（例えば、Happy Lady株式会社製Epilady（登録商標）のような装置）、毛を研削する研磨装置、又は、毛を溶かす化合物であり得る。脱毛装置は、該脱毛装置がユーザーによって容易に交換できるように使い捨てに作成され得る。固い毛の例において、一又は複数の刃を有するかみそりが使用され得る。しかしながら、細い毛の例では、研磨紙が使用され得る。固い毛を有する体の個所では、最初に、一又は複数の光美容処理の後、細い毛を有し得る。従って、かみそり刃が、最初のいくつかの処理に使用され得、研磨紙がその後の処理に使用され得る。いくつかの実施形態において、研磨紙は、光美容装置のストロークと共に皮膚に沿って単に移動され得、他の実施形態では、該紙は、振動機構（例えばモーター）によって振動され得る。
【０１２５】
図２１は、ハンドピース２０００をドッキングさせるためのハンドピースドッキングステーション２１００の実施形態の一例の概略である。ドッキングステーション２１００は、ハウジング２１５５に収容される。電源２１５６は、電気接点２０５１を介してバッテリー／コンデンサー２０４７を充電する。冷却材料２０４６は、冷却機２１５７（例えばペルチエ素子）で冷却される。例えば、冷却機２１５７は、相変化液を凝縮するか又は相変化固体を凍結させることにより、冷却システムを再チャージするために使用され得る。ヒートシンク２０５８は、冷却機２１５７によって作り出された熱を放散する。ヒートシンク２０５８は、熱の除去のために気体、液体又は固体（相変化）の媒体を利用し得、又は、単に室温への露出によって冷却されるフィンであり得る。臍帯２１５９は、電力を電気アウトレットからドッキングステーションへと供給するワイヤーを包含し、また、ヒートシンク２０５８の水冷のための管材料を更に含み得る。内蔵型の光美容装置及びハンドピースドッキングステーションは、G. Altshuler等による２０００年１２月２８日付けの米国出願第６０／２９２，８２７号、タイトル「ＥＭＲ処理のための方法及び装置（Method and Apparatus forＥＭＲTreatment）」に更に詳細に記述され、その内容は参照により本書面中に組み込まれる。
【０１２６】
光美容装置のいくつかの実施形態では、一又は複数の交換可能な構成要素を有することが有利である。例えば、ハンドピースが落下しそうであるか又はそうでなくても乱用されそうであるいくつかの実施形態において、一又は複数の光学システムをハンドピースから着脱可能にすることが有利であろう。加えて、それぞれ異なる光学源又は光学システムを必要とする種々の処理（例えば、色素沈着障害除去の処理及び脱毛を達成するための処理）を成し遂げるため、交換可能な光学部品は、ユーザーが同一のハンドピースで異なる利用を行うことを許容するであろう。その上、限られた寿命を有する光源又は電源を使用するシステムでは、有効寿命の最後で光源の交換が望まれるであろう。
【０１２７】
図２２は、着脱可能なヘッド２２１０を有するハンドピース２２００の一実施形態の一例の概略である。ハンドピース２２００は、ヘッド２２１０に連結されるハンドル２２２０を有する。ハンドル２２２０は、既知のどのような結合方法を用いてもヘッド２２１０に連結され得る。好ましくは、ヘッド２２１０は、交換可能な部品の使用を助長する光学部品（例えば、図１６Ａのヘッド１６００）を含む。
【０１２８】
図２３は、製造の容易さ及び／又はユーザーの取り替えの容易さに適した一又は複数の部品を有するモジュラーハンドピース２３００の実施形態の一例の概略である。例えば、ハンドピース２３００は、ヘッド組立体２３１０（光学システムを含む）、冷却組立体２３２０及び動力組立体２３３０の組立及び／又は交換を容易にする。好ましくは、モジュラーハンドピース２３００は、組立て時にヘッド組立体２３１０が動力組立体２３３０の接続動力プラグと接触するように構成される。
【０１２９】
図２４は、源２４１０（例えば、二つのダイオード−レーザー−バー）を含む光学組立体２４００を示す概略図である。源２４１０は、ユーザーが交換可能な使い捨てのカートリッジ内に組み込まれ得、これは、電極２４１２、ヒートシンク２４３０、光学システム２４２０及び連結板２４４０を含む。連結板２４４０は、光学システム２４２０、源２４１０及びヒートシンク２４３０を固定するために使用され得る。好ましくは、源２４１０の固定機構は、源２４１０を光学システム２４２０と自動的に位置合わせさせるように構成される。好ましくはまた、連結板は、光学システム２４２０からの熱を伝導するために良好な熱伝導率を有する材料（例えば銅）から成る。源２４１０及び光学システム２４２０の位置合わせを簡単にするため、源２４１２は、素子２４２０にしっかりと取り付けられ得る。
【０１３０】
源２４１０をその有効寿命の最後で取り替えるのに加え、複数のハンドピースを購入する必要なしに異なる美容処理で使用するため、光源２４１０のユーザーによる取り替えを容易にすることも望ましいであろう。更に、皮膚の種類、毛の種類、及び／又は処理される皮膚領域の位置（例えば、腋の下、ビキニ、脚、顔）に基づいて光源２４１０のユーザーによる交換を容易にすることも望ましいであろう。
【０１３１】
図２５は、本発明のいくつかの側面を示す光美容装置２５００の一例の概略である。装置２５００は、ヘッド２５８０及びハンドル２５９０を有する。ヘッド２５８０は、患者の皮膚に放射の第１領域（例えば、図３の領域３１１）を形成する第１光学システム２５１０（例えば、図３の光学システム３１０）と、放射の第２領域（例えば、図３の領域３１６）を形成する第２光学システム２５１５（例えば、図３の光学システム３１５）を有する。図３に関連して上述したように、第１領域及び第２領域を形成する放射は、単一の分離源又は二つの源（源は図示せず）から生じ得る。装置２５００はまた、ホイール２５２１（例えば、図１８のホイール１８２１に対応する）と、光学システム２５１０の反対側に設けられた第２ホイール２５２２（例えば、図１８のホイール１８２２に対応する）とを有する運動センサーシステムを含み、これは、光学素子２５１０の面に接触する皮膚全体が、患者の皮膚に実質上均一な照明を供給するように受容可能な範囲内の速度で移動することを保証する。
【０１３２】
図２６Ａは、皮膚の湾曲領域（例えば、顎、背又は腕）の処理に向けられた本発明の側面を示す光美容ヘッド２６００の一例の概略である。ヘッド２６００は、電磁放射を送出するための二つの枢動（回転）伝達システム２６１０及び２６２０を含む。ヘッド２６００の構成要素は、ハウジング２６３０内に実質上収容され、コード２６４０を介してベースユニット（図示せず）に接続される。ハウジング２６３０は、説明を容易にするため、透明なワイヤーフレームとして図示される。ヘッド２６００の構成要素の寸法は、それらが使用される身体部分に従って選択され得、種々の身体部分の処理を許容するため、複数のヘッドがコード２６４０に接続可能であり得る。あるいは、各ヘッドは、各コードがベースユニット内へ差し込まれ、かつ取り外されるように、固定コードを有し得る。
【０１３３】
図２６Ｂは、湾曲面を扱うヘッドの二つの伝達システム２６１０及び２６２０の一実施形態の概略である。伝達システム２６１０及び２６２０は、それらの相対的位置付けを示すため、ハウジングなしで図示される。図２６Ｂは、湾曲した皮膚領域との接触の維持を助長するため、伝達システムが少なくとも一方向に枢動する点を図示する。例えば、伝達システム２６１０及び２６２０は、互いに対しある角度（例えば、５−３０度）で取り付けられ得、また、軸Ｘ及びＸ’周りに回転可能に取り付けられ得る。
【０１３４】
図２７は、本発明に従うハンドピース２７００のいくつかの側面の実施形態を図示する概略である。ハンドピース２７００は、ハンドル２７０２及びヘッド２７０４を有するハウジング２７１０を含む。ハンドピース２７００は、ヘッド組立体２７１０（光学システムを含む）、冷却組立体２７２０及び動力組立体２７３０を含む。
【０１３５】
図２８は、本発明の少なくともいくつかの側面に従う美容装置２８００の一実施形態の概略図である。装置２８００は、ハンドピース２８１０と、ベースユニット２８２０と、ハンドピース２８１０をベースユニット２８２０に連結するコード２８２６とを含む。ハンドピース２８１０は、患者の皮膚（図示せず）に沿ってヘッド２８３０を移動されるため、オペレーターに把持され得る。ヘッド２８３０は、上記したようないずれのヘッドでもあり得、また、光美容処理、例えば後述するいずれかの処理を成し遂げるのに適した他のどのようなヘッドでもあり得る。
【０１３６】
以下は、本発明に従う装置及び方法を用いて実現可能な処理例の記述である。しかしながら、記載の処理は模範的なもの、これらに限定することは企図されない。本発明に従う装置及び方法は、汎用性があり、また、既知のどのような処理にも又は未だ発達していない処理にも適用され得る。
【０１３７】
模範的な処理機構は、望ましくない美容状態の原因である組織内の発色団による光の吸収、又は該組織の近傍の発色団による光の吸収を含む。処理は、回復不能な損傷を与える温度を下回る、ターゲット組織の限定された加熱により、又は回復不能な損傷をもたらすように加熱することにより（例えば変性）、成し遂げられ得る。処理は、熱に対する生物学的応答の直接的な刺激により、又は、生物学的応答が熱によって間接的に実現されるようなカスケード現象の誘導によって成し遂げられ得る。処理は、上記機構のいずれかの組合せからもたらされ得る。随意的に、冷却、ＤＣ又はＡＣ（ＲＦ）電流、物理的振動、又は他の物理的刺激／活動が、処理効率を高めるために処理領域又は隣接領域に適用され得る。処理は、１回のセッションからもたらされ得、又は、複数回のセッションが、所望の臨床効果を達成するために使用され得る。
【０１３８】
本発明の一又は複数の側面に従う装置は、種々の光学的範囲において動作し得る。例えば、皮膚へと送られる電磁放射は、３８０〜１９００ｎｍの範囲内の波長を有し得る。送出される光の出力は、０．００１〜３００Ｗ／ｃｍの範囲であり得、また、模範的な走査速度は、０．１〜５００ｍｍ／ｓｅｃ．を含む。望ましい放射特性は、適切なＬＥＤ、ランプ及びダイオードレーザー、又は現在入手可能かもしくは未だ開発されていない他の適当な光源のいずれによっても実現され得る。
【０１３９】
放射線脱毛は、本発明の側面に従う装置及び方法によって実行され得る美容処理である。脱毛の場合、熱的破壊のための主要なターゲットは、毛球であり、好ましくは、毛球の毛基質、毛乳頭又は基底膜である。脱毛処理では、毛幹及び毛嚢にあるメラニンがターゲットとなる発色団である。毛球がメラニンを含み、従って、熱的に処理され得るのに対し、毛球内の乳頭と毛幹内の基質との間に育毛通信路を与える基底膜は、最も密度の高いメラニンを含み、選択的にターゲットとされ得る。
【０１４０】
０．６〜１．２μｍの波長が脱毛に一般的に使用される。出力、速度及び焦点合わせ形態の適当な組合せにより、異なる毛に関連したターゲット（例えば、球、基質、基底膜、幹細胞）は、周辺の真皮が損傷を受けないままである間に、変性温度まで加熱され得る。ターゲットとされる毛嚢及び表皮の両方はメラニンを含むので、表皮接触冷却と長いパルス幅との組合せが、表皮の損傷を防ぐために使用され得る。脱毛のより詳しい説明は、Rox Anderson等による同時係属の２００２年３月１２日付けの特許出願第６０／３６３，８７１号、タイトル「育毛制御のための方法及び装置（METHOD AND APPARATUS FOR HAIR GROWTH CONTROL）」に記載され、これは、参照により本書面中に組み込まれる。
【０１４１】
脱毛はしばしば広い領域にわたって要求され（例えば、背中及び両足）、そのため、処理時間を短くするためには、要求される出力も、それに応じて大きい（２０〜５００Ｗのオーダー）。現世代のダイオードバーは、８００ｎｍで４０〜６０Ｗの発光が可能であり、そのため、それは、本発明に従う光美容装置のいくつかの実施形態においての使用に効果的なものとなる。
【０１４２】
育毛管理の模範的方法は、毛嚢の低出力照射と、毛幹の浅い物理的抜き取り及び／又は体からの毛嚢の完全なもしくは不完全な物理的抜き取りとの組合せによって実現され得る。いくつかの実施形態によれば、照射は、毛嚢におけるメラニン又は他の内因性もしくは外因性発色団によって吸収される波長範囲で発光する光源により、毛嚢を含む皮膚の一部を照らすことによって実現される。物理的抜き取りは、機械的に、電気機械的に又は他の適当な技術によって行われ得る。この処理は、一時的な毛の減少又は永久的な毛の減少のいずれにも使用され得る。
【０１４３】
本発明に従う育毛管理の第１の模範的実施形態は、最初に、毛を物理的に除去する工程と（「脱毛」）、次に、上述したように皮膚を照射する工程とを含む。いくつかの実施形態によれば、脱毛は、毛嚢から主に毛幹を除去するように調整され得る。あるいは、脱毛は、角質化した領域へと至り得る。この脱毛は、電気機械的脱毛又はワキシングによって行われ得る。
【０１４４】
光処理は、例えば、上述した光美容装置の実施形態の一つを使用して実行可能である。これらの実施形態によれば、光は、毛基質のメラニンによって吸収され得、熱的損傷の結果、育毛速度は遅れ又は完全に止められる。
【０１４５】
随意的に、脱毛後で照射前に、除去された毛に対応する空の毛嚢を埋めるため、局所的ローションが処理領域の皮膚に塗られ得る（例えばハンドピースを介して）。いくつかの実施形態において、透明ローションは、照射される皮膚領域に光を向ける導波管効果を与えるのに適した範囲の屈折率を有するように選択される。好ましくは、ローションの屈折率は、水の屈折率（すなわち、水の化学添加物によってほぼ１．３３）よりも高い。いくつかの実施形態において、ローションの屈折率は、真皮の屈折率（すなわち、ほぼ１．４）よりも高い。いくつかの実施形態において、ローションの屈折率は、内根鞘の屈折率（すなわち、ほぼ１．５５）よりも高い。内根鞘の屈折率より高い屈折率の実施形態において、皮膚面における入射光は、著しい減衰を伴わずに毛基質へと直接送られ得る。
【０１４６】
皮膚を照らすために用いられる有効パルス長は、照射源の走査速度によって割られたビームサイズによって与えられる。例えば、５０〜１００ｍｍ／ｓの走査速度で移動する２ｍｍのビームサイズは、２０〜６０ｍｓの有効パルス長を与える。２５０Ｗ／ｃｍの出力密度では、有効フルエンスは５〜１０Ｊ／ｃｍ2であり、これは、高屈折率なローションを使用することなしに、装置によって送出される光のフルエンスをほぼ２倍にする。
【０１４７】
いくつかの実施形態において、ローションのｐＨは、マトリックス細胞の変性閾値を低下するように調整され得る。そのような実施形態において、毛基質を傷つけるため、従って育毛管理を与えるために、より低い出力が必要である。随意的に、ローションは、源から発せられた光の著しい吸収を伴う分子又はイオン又は原子によってドープされ得る。ローションによる毛嚢における光の吸収の増加のため、毛基質を加熱する著しい照射を供給するために、より低い出力の照射源が使用され得る。
【０１４８】
本発明に従う育毛管理の方法の第２の模範的実施形態は、まず皮膚に照射する工程と、次いで上述したように毛を物理的に除去する工程とを含む。最初に皮膚を照らすことにより、毛嚢に対する毛幹の結合又は真皮に対する毛嚢の結合が弱くされる。その結果、機械的又は電気機械的な脱毛がより容易に成し遂げられ得（例えば、ソフトワキシング又は電気機械的脱毛器を使用することにより）、また、痛みが減じられ得る。
【０１４９】
照射は、皮膚又は皮下脂肪に対する毛球の結合を弱め得る。そのため、脱毛単独に比べ、皮膚から著しく高い割合の毛嚢を引き抜くことを可能にする。毛球の直径が外根鞘の直径に近いので、毛球と共に毛を引く抜くことは、幹細胞を含む毛嚢全体を永久に破壊し得る。従って、最初の照射及び次の脱毛により、新しい育毛が遅らされるか又は終わらせられ得る。
【０１５０】
セリュライトの処理は、本発明の側面に従う装置及び方法によって扱われ得る美容問題の別の例である。特有のセリュライトの窪みの形成は、貧血及びリンパ循環に端を発し、これは次いで細胞老廃物の除去を抑制する。例えば、細胞内空間における除去されていない死んだ細胞は、徐々に脂質を漏出させ得る。結合組織損傷及びその後の小結節の形成は、毒素及び細胞老廃物の継続的蓄積によって生じる。
【０１５１】
以下はセリュライトに対する二つの模範的処理であり、いずれも血流及び線維芽細胞増の両方を刺激することを目的とする。最初の模範的処理において、熱的損傷の局所的領域は、皮膚面下２〜１０ｍｍに焦点を合わせるように設計された光学システムと組み合わせて、近赤外スペクトル範囲において（例えば６５０〜１８５０ｎｍの範囲内の波長において）発光する処理源を用いて作り出される。一実施形態において、１〜１００Ｗの出力密度を有する光が皮膚面に送られ、該装置は、皮膚下５ｍｍの距離において４５℃の温度を作り出す速度で操作される。冷却は、傷の形成を減らすよう、表皮に対する損傷を回避するか又は低減するために適用され得る。皮膚下の選択された距離での選択された温度の実現の更なる詳細は、２０００年８月９日付けの米国特許出願０９／６３４，６９１号に記載され、その内容は参照により本書面中に組み込まれている。処理は、組織の圧縮、組織のマッサージ、又は組織にわたるマルチパスを含み得る。
【０１５２】
第２の模範的処理において、近赤外光（例えば、７００〜l３００ｎｍの範囲内の波長で発光する発光ダイオードnm）を発する処理源が、皮膚面下２〜１０ｍｍの距離に光の焦点を合わせるために使用され、真皮／皮下脂肪温度を熱的損傷閾値（例えば、４２〜６０℃の範囲内の温度）の十分下の温度まで高める。第２の模範的処理によれば、加熱は、脂肪分解（すなわち、脂肪の破壊）の速度を高め、脂肪細胞のアポトーシス（すなわち、プログラム細胞死）を引き起こし得る。随意的に、局所的脂肪分解クリームが、第２模範的処理と組み合わせて使用され得る。真皮／皮下脂肪における上昇した温度分布は、クリームの溶け込みを高め、従ってその効能を増長する。非常に長い熱的緩和時間により（すなわち、１分以上）、通常の皮膚面温度を維持しながら、ある領域の複数走査（マルチスキャン）処理が所望の脂肪の加熱を実現し得る。上記模範的処理は、脂肪代謝の活性化及び脂肪の低減のために使用され得る。
【０１５３】
座瘡は、本発明の側面に従う装置及び方法を用いて処理され得る別のとても一般的な皮膚障害である。座瘡は、皮脂腺からの皮脂が毛嚢を介して皮膚面に到達できない場合に生じ、また、細菌感染は毛嚢内に起こる。光美容処理は、伝統的処理（例えば、局所的及び口腔投薬）に代わるものである。
【０１５４】
以下は、本発明に従う座瘡を処理する模範的方法である。各模範的方法において、実際の処理領域は、比較的小さいであろうから（顔面の座瘡の処理と仮定すれば）、低出力ＣＷ源が使用され得る。最初のあり得る処理は、皮脂生成を防ぐため、皮脂腺を選択的に損傷させることである。皮脂腺は、皮膚面下ほぼ１ｍｍに位置する。この深さに焦点を作り出し、かつ、脂質によって選択的に吸収される波長（例えば、０．９２、１．２及び１．７μｍ近傍）を用いることにより、直接の熱的破壊が可能になる。例えば、熱的破壊をもたらすため、皮膚面下ほほ１ｍｍにおいて４５〜６５℃の温度が引き起こされる。その際、２０００年８月９日付けの米国特許出願０９／６３４，６９１号に記載されるいずれの方法も使用される。その内容は参照により本書面中に組み込まれている。
【０１５５】
随意的に、（図４に関連して上記されたような）焦点の線形マトリックス（線形行列）が、損傷のアイランドを作り出すために使用され得る。皮脂腺の正確な位置は知られていないかもしれないので、焦点のマトリックスを伴う各処理は、いくつかの損傷されている皮脂腺をもたらす。従って、該領域を複数回処理することにより、膨大な数の皮脂腺が損傷される。
【０１５６】
座瘡のための別の処理は、皮脂生成及びアポトーシス（プログラム細胞死）の中止を実現するため、熱的変性温度より低い温度まで（例えば、４５〜６５℃の温度まで）皮脂腺を加熱することを含む。そのような選択温度は、周囲の細胞に対する皮脂生成の原因である細胞の低熱閾値を利用し得る。別の座瘡の処理は、皮脂腺への血液供給の熱的破壊（例えば、６０〜９５℃の温度まで血液を加熱することによる）である。
【０１５７】
座瘡の上記処理では、皮脂腺は、インドシアニングリーン（ＩＣＧ、８００ｍｎ近くで吸収）又はメチレンブルー（６３０ｎｍ近くで吸収）のような化合物を用いることにより、近赤外線に対し高感度化され得る。あるいは、フォトフリンのような非熱光力学的治療剤が皮脂腺の好感度化に使用され得る。いくつかの実施形態において、単クローン抗体（ＭＡＢ）のような生化学的キャリアが、これらの感作化合物を直接皮脂腺へと選択的に与えるために使用され得る。
【０１５８】
上記処置は、座瘡のための処理として記述されたが、該処理は皮脂腺の損傷／破壊（及び、従って皮脂生成量の低減）を含むので、該処理は、過度な油性肌の扱いにも使用され得る。
【０１５９】
座瘡を処理する別の光ベース方法は、座瘡と関連する特有の炎症の原因であるバクテリア（P. acnes）の熱的破壊を含む。バクテリアの破壊は、P. Acnes に貯蔵されたポルフィリンを狙うことによって達成され得る。
プロトポルフィリン、コプロポルフィリン及び亜鉛とキレートしたプロトポルフィリのようなポルフィリンは、それらの代謝産物としての嫌気性バクテリアによって合成される。ポルフィリンは、４００〜７００ｎｍの可視スペクトル領域における光を吸収する。その吸収の最も強いピークは、４１５ｎｍ付近である。選択された波長範囲において十分な強度で光を供給することにより、吸収からもたらされる熱は、バクテリアの死を引き起こす。例えば、望ましい効果は、皮膚面下０．２〜１ｍｍに焦点を合わせ、かつ皮膚面での出力密度が０．０１〜１０Ｗ／ｃｍであるように設計された光学システムを使用し、３６０〜７００ｎｍの範囲の波長で発光する処理源を用いることにより実現され得る。
【０１６０】
座瘡を処理するための更に別の技術は、皮脂を妨げられずに流出させるよう、感染した毛嚢の開口を拡大するために光を用いることを含む。該技術の一実施形態において、毛嚢開口に優先的に蓄積するローション（例えば、有機無機色素又は吸収微粒子を有する脂質一定ローション）が皮膚面に塗られる。処理源波長は、該ローションの吸収帯域に整合される。例えば、ＩＣＧがドープされたローションの場合、源波長は、７９０〜８１０ｎｍである。例えば、皮膚面であるフルエンス（例えば、１〜１００Ｗ／ｃｍ）を発生させて、漏斗／下漏斗において４５〜１００℃の温度を生じさせる光学システムを使用することにより、毛嚢開口は広げられ得、また、皮脂は、コメド（すなわち、ブラックヘッド）の形成を防ぐため、毛嚢外に流れて下漏斗の作り変えが許容される。
【０１６１】
伝統的な除去ＣＯ2レーザー皮膚再表面化の代わりとして現在使用されている非除去皺処理は、本発明の側面に従う装置及び方法によって実行可能な別の美容処理である。非除去皺処理は、繊維芽細胞を熱的に刺激し、新しいコラーゲンの堆積を起こすため、表皮を冷却すると同時に真皮の上層に光を送出することによって実現される。
【０１６２】
皺処理において、主要な発色団は水であるため、０．８〜２μｍの波長が、処理放射の波長に適する。顔面の皺のみが一般的な美容の関心なので、処理領域は、比較的狭く、また、必要な有効範囲速度（ｃｍ2／ｓｅｃ）もそれに応じて低く、更に比較的低出力の処理源が使用され得る。表皮冷却と組み合わせてサブ面焦点合わせを与える光学システムが、所望の効果を達成するために使用され得る。上真皮温度の正確な管理が重要である。温度が高すぎると、誘起された表皮の熱的損傷が過剰となり、温度が低すぎると、新しいコラーゲンの堆積量が最小となる。速度センサー（手動走査ハンドピースの場合）又は機械的駆動が、上真皮温度を正確に制御するために使用され得る。あるいは、非接触中間赤外熱センサーが、真皮温度を監視するために使用され得る。
【０１６３】
血管障害（例えば、ポートワイン母斑、酒さ、クモ状静脈）は、本発明の側面に従う装置及び方法によって処理可能な別の美容問題を提供する。血管障害の処理では、ターゲット発色団はこれらの障害における血液である。模範的な処理波長は、皮相の血管障害では０．４〜０．６μｍであり、深い血管障害では０．６〜１．３μｍである。クモ状静脈の場合、ターゲット組織の比較的大きなサイズ及びそれに対応する長い熱緩和時間は、熱的破壊を達成し、かつ表皮を保存するため、長時間にわたるエネルギーの多量の沈着を必要とする。その上、積極的な表皮の冷却（特に黒い皮膚種ＩＶ〜ＶＩの患者の場合）が、表皮の損傷を防ぐために使用され得る。ＣＷ源の使用は、障害の処理に有利である。その理由は、脱毛と同様に、ターゲット組織（静脈壁）の一部がほとんど血液を含まず、熱拡散によって損傷されるにちがいないからである。
【０１６４】
老化班のような色素性障害は、それらの組織におけるメラニンを含む細胞を選択的に狙うことによって除去され得る。これらの障害は、皮膚面下１００〜２００μｍの深さに焦点を合わせる光学システムを使用することにより、位置が特定され得、また、０．４〜１．１μｍの範囲の波長で狙われ得る。個々のメラニン生成細胞は小さく、短い熱緩和時間であるので、浅いサブ面焦点合わせが変性温度に達するのに役立つ。
【０１６５】
腋の下の臭いの除去は、本発明の側面に従う装置及び方法によって処理可能な別の問題である。そのような処理では、漏出分泌腺／離出分泌腺によって選択的に吸収される波長を有する源が、漏出分泌腺／離出分泌腺を熱的に損傷するために使用される。随意的に、感作化合物が損傷を高めるために使用され得る。
【０１６６】
入れ墨除去は、本発明の側面に従う装置及び方法によって実現可能な別の処置である。入れ墨除去のための慣用装置は、美容入れ墨除去のため、短パルス（１０〜５０ｎｓ）Ｑスイッチのルビー、アレキサンドライト、Ｎｄ：ＹＡＧ及び周波数２倍のＮｄ：ＹＡＧを含む。一般に、源波長は、除去される入れ墨の色に基づいて選択される（例えば、グリーンレーザーは、入れ墨の赤部分を除去するために使用される。）。インク粒子が現に個々の細胞へ組み込まれているので、入れ墨除去のための熱的処理の一実施形態は、細胞の破裂を引き起こし、それにより、該インクを放出する。
【０１６７】
入れ墨除去に使用するための本発明の側面に従う装置の模範的な実施形態は、ＣＷ源と、インク粒子含有細胞を破裂させるため、該細胞が存在する深さ（例えば１５０〜７００μｍ）に処理源からの放射をしっかりと焦点合わせするように選択された光学システムとを使用する。あるいは、該細胞をそれらの熱変性温度以下に加熱し、アポトーシスを引き起こさせることも可能であろう。アポトーシスを引き起こすように設計された実施形態の場合、治療は、細胞が損傷を受ける領域と、中間の非照射の領域とを作り出すため、ハンドピースが皮膚面に沿って連続的に走査されながら、準連続モードで放射源を作動させることによって高められ得る。いくつかの実施形態において、速度センサーからのフィードバックが、レーザー放射を制御して、ハンドピース速度とは独立に等間隔の損傷ラインを作り出すように使用され得る。入れ墨を完全に除去するためには、複数の処理が必要であろう。
【０１６８】
いくつかの慣用の比較的費用のかかる入れ墨除去装置において、０．５３２μｍで放射するＱスイッチ周波数２倍Ｎｄ：ＹＡＧは、１．０６４μｍで放射する発光する（Ｎｄ：ＹＡＧ）及び０．７５５μｍで放射するアレキサンドライトレーザーと組み合わされる。該レーザーは、種々の入れ墨インク色を含む細胞を狙うように選択的に操作される。本発明の側面に従うモジュールの実施形態は、上記システムに代わる比較的低コストなものを提供する。例えば、本発明の実施形態は、別個の波長もしくは波長帯域で放射する光学源又は単一源と、源から発生した光の波長を変える光学部品との使用を可能にするように構成され得る。特に、０．７５５μｍに近い波長を実現するため、０．８０８μｍダイオードレーザーバーが使用され得る。また、Ｎｄ：ＹＡＧ結晶モジュールがハンドピース内に装入され得、これは、１．０６４に近い波長を作り出すため、ダイオードレーザーバーによって励起されるであろう。また、０.５３２μｍに近い波長を作り出すよう、ＳＨＧ結晶が、１．０６４μｍ波長の放射を発するレーザーダイオードの周波数を２倍にするために使用され得る。あるいは、Ｎｄ：ＹＣＯＢのような自ら周波数を２倍にする結晶が使用され得る。
【０１６９】
低強度治療（ＬＩＴ）は、本発明の側面に従う装置及び方法によって実現可能な別の処置である。ＬＩＴは、傷の処理、手根管症候群の処理のため、又は育毛を刺激し、もしくは生化学的反応を促進するために使用され得る。ＬＩＴに一般に使用される出力密度及び波長（６３０〜８２０ｎｍ）は、ダイオードレーザー又はＬＥＤ処理源を用いて実現され得る。随意的に、一又は複数の上記処理が獣医学的ＬＩＴ用途に使用され得る。
【０１７０】
目立つ妊娠線及び傷の除去又は低減は、本発明の側面に従う装置及び方法を使用して達成され得る処置である。非除去皮膚再表面化と同様に、上記処置を実現するためには、上真皮において薄い熱的に損傷を受けた層を作り出すことにより、コラーゲンの沈着及び傷の治療を刺激することが可能であり得る。
【０１７１】
いぼの除去は、本発明の側面に従う装置及び方法を用いて実現可能な別の処置である。いぼの除去は、血液吸収域（０．５〜０．８μｍ）の光を作り出す源を使用して達成され得る。この波長は、ヘモグロビンによって選択的に吸収され、これは、いぼの血液供給を止めるように見える。
【０１７２】
乾癬は、本発明の側面に従う装置及び方法によって処理可能な皮膚の不調である。乾癬を処理するように構成された本発明の模範的実施形態は、８００ｎｍ近く波長で放射する。随意的に、一又は複数の光力学薬のような感作剤又はＩＣＧ／メチレンブルーが使用され得る。処理は、週に数回適用され得、また、処理のアイランド（又はライン）を含むいくつかの異なる方法で与えられ得る。本発明の側面に従う装置及び方法の更なる用途は、局所的投薬の送出及び皮膚への美容的下準備の容易化を含む。
【０１７３】
本発明の概念及び多くの模範的実施形態を記述したが、本発明が種々の方法で実施され得ることが当業者には明らかであり、また、当業者には変更及び改変が容易に生じる。従って、上記例は、限定されることを企図しない。本発明は、請求の範囲及びその等価による必要に応じてのみ限定される。
【符号の説明】
【０１７４】
１００  光美容装置
１１０  患者の皮膚（皮膚領域）
１２０  ベースユニット
１２２  制御部
１２４  電源
１２５  電磁放射源
１７０  ハンドピース
１８０  処理ヘッド
１９０  ハンドル
【図１】
2011212451.tif 000003
【図２Ａ】
2011212451.tif 000004
【図２Ｂ】
2011212451.tif 000005
【図３】
2011212451.tif 000006
【図４】
2011212451.tif 000007
【図５】
2011212451.tif 000008
【図６Ａ】
2011212451.tif 000009
【図６Ｂ】
2011212451.tif 000010
【図６Ｃ】
2011212451.tif 000011
【図６Ｄ】
2011212451.tif 000012
【図７】
2011212451.tif 000013
【図８】
2011212451.tif 000014
【図９】
2011212451.tif 000015
【図１０】
2011212451.tif 000016
【図１１】
2011212451.tif 000017
【図１２Ａ】
2011212451.tif 000018
【図１２Ｂ】
2011212451.tif 000019
【図１３Ａ】
2011212451.tif 000020
【図１３Ｂ】
2011212451.tif 000021
【図１４Ａ】
2011212451.tif 000022
【図１４Ｂ】
2011212451.tif 000023
【図１５Ａ】
2011212451.tif 000024
【図１５Ｂ】
2011212451.tif 000025
【図１６Ａ】
2011212451.tif 000026
【図１６Ｂ】
2011212451.tif 000027
【図１７Ａ】
2011212451.tif 000028
【図１７Ｂ】
2011212451.tif 000029
【図１７Ｃ】
2011212451.tif 000030
【図１８Ａ】
2011212451.tif 000031
【図１８Ｂ】
2011212451.tif 000032
【図１９】
2011212451.tif 000033
【図２０】
2011212451.tif 000034
【図２１】
2011212451.tif 000035
【図２２】
2011212451.tif 000036
【図２３】
2011212451.tif 000037
【図２４】
2011212451.tif 000038
【図２５】
2011212451.tif 000039
【図２６Ａ】
2011212451.tif 000040
【図２６Ｂ】
2011212451.tif 000041
【図２７】
2011212451.tif 000042
【図２８】
2011212451.tif 000043